(57)【要約】【課題】ユーザの操作負担を最小限に抑えつつ、アドレス帳に登録された各連絡先との人脈の維持に役立てることができる電話機を提供する。【解決手段】携帯電話機１００のアドレス帳記憶部１０４に記憶される各連絡先についての最終更新日時が示す日時からアドレス帳記憶部１０４に記憶される各連絡先についての通信間隔期間が示す期間を経過し、かつ、履歴記憶部１０３に記憶される各連絡先についての最終通信日時が示す日時から通信間隔期間が示す期間を経過しているかを判定する経過判定処理を行う。経過判定処理において、肯定的な判定がなされた各連絡先についてのメールアドレスを宛先とし、雛形メール記憶部１０６に記憶された雛形をメール本文としたメールをそれぞれ作成し、送信する。【選択図】図１
2008040975.tif 000002
【特許請求の範囲】
【請求項１】
複数の連絡先それぞれについて、少なくとも１つのメールアドレスを含むアドレス帳を記憶するアドレス帳記憶手段と、
各連絡先について、当該連絡先との間での直近の通信時を示す最終通信時情報を記憶する履歴記憶手段と、
前記履歴記憶手段に記憶された各連絡先についての最終通信時情報が示す通信時から所定期間以上経過しているかを判定する経過判定手段と、
前記経過判定手段により肯定的な判定がなされた各連絡先についてのメールアドレスを宛先とするメールを送信するメール送信手段とを備える
ことを特徴とする電話機。
【請求項２】
前記所定期間は、連絡先毎にそれぞれ定めたものであって、
前記経過判定手段は、連絡先毎に定めた前記所定期間に従って前記判定をする
ことを特徴とする請求項１記載の電話機。
【請求項３】
前記履歴記憶手段は、各連絡先について、当該連絡先との間での最終通信時情報を含む複数の通信時を示す通信時情報を記憶するものであって、
連絡先毎に定めた前記所定期間は、当該連絡先の通信時情報に示される通信時の各間隔を基に算出した値である
ことを特徴とする請求項２記載の電話機。
【請求項４】
前記履歴記憶手段は、各連絡先について、当該連絡先との間での最終通信時情報とその一つ前の通信時を示す情報とを記憶するものであって、
前記所定期間は、各連絡先についての最終通信時情報が示す通信時とその一つ前の通信時情報が示す通信時との間隔である
ことを特徴とする請求項２記載の電話機。
【請求項５】
前記アドレス帳記憶手段は、各連絡先について、更に電話番号を有するものであって、
前記電話機は、更に
前記メール送信手段がメールを送信した後、当該メールの宛先であるメールアドレスを含む連絡先から所定期間以上通信がないことを、当該メールアドレス及び当該メールアドレスを含む連絡先についての電話番号のいずれからも通信がないことをもって判定する通信判定手段と、
通信判定手段により、当該メールの宛先であるメールアドレスを含む連絡先から所定期間以上通信がないと判定された各連絡先について、当該連絡先に係る情報をアドレス帳から削除する削除手段とを備える
ことを特徴とする請求項１記載の電話機。
【請求項６】
前記電話機は、更に
前記メール送信手段がメールを送信した後、当該メールのメールアドレスと所定のメッセージをメール本文に含む配信エラーメールが送られてきたことを検出するメール受信手段と、
前記メール受信手段が、配信エラーメールを検出すると、前記メール送信手段が送信したメールの宛先であるメールアドレスを含む連絡先について、他のメールアドレスが前記アドレス帳に記録されているときは、当該他のメールアドレスを宛先とするメールを送信する再送信手段とを備える
ことを特徴とする請求項１記載の電話機。
【請求項７】
前記電話機は、更に
連絡先毎にアドレス帳の内容の最後の更新時を示す最終更新時情報を記憶する更新時記憶手段と、
各連絡先についての当該最終更新時情報が示す更新時から前記所定期間以上経過していない場合には、前記経過判定手段の判定のいかんにかかわらず、メール送信手段による各連絡先についてのメールを宛先とするメールの送信を抑止する送信抑止手段とを備える
ことを特徴とする請求項１記載の電話機。
【請求項８】
前記経過判定手段は、
予め周期的に定めた時が到来した時点で、前記判定を行う
ことを特徴とする請求項１記載の電話機。
【請求項９】
前記経過判定手段は、
ユーザにより所定の操作がなされたときに前記判定を行う
ことを特徴とする請求項１記載の電話機。
【請求項１０】
前記メール送信手段は、
ユーザにより所定の操作がなされたときに前記メールを送信する
ことを特徴とする請求項１記載の電話機。
【請求項１１】
複数の連絡先それぞれについて、メールアドレス、電話番号のうち少なくともいずれか１つを含むアドレス帳を記憶するアドレス帳記憶手段と、
各連絡先について、当該連絡先との間でのメール及び電話のいずれかの手段により最後に行われた通信時を示す最終通信時情報を記憶する履歴記憶手段と、
前記履歴記憶手段に記憶された各通信先についての最終通信時を示す情報から各連絡先との通信が行われていない期間をそれぞれ算定する算定手段と
前記算定手段により算定された各連絡先との通信が行われていない期間に基づき、各連絡先を分類する分類手段と、
前記分類手段によりなされた分類のうち、ユーザに指定された分類に含まれる全ての連絡先を削除する削除手段とを備える
ことを特徴とする電話機。
【発明の詳細な説明】
【技術分野】
【０００１】
本発明は、電話機に関し、特に、アドレス帳を利用して通信を行う技術に関する。
【背景技術】
【０００２】
電話機の改良により、電話機のアドレス帳への連絡先の登録（以下、「アドレス帳登録」という）が容易になっている。例えば、赤外線を利用したアドレス帳登録方法が知られている（例えば、特許文献１参照）。
このような、アドレス帳登録方法の容易化を背景に、従来よりも連絡先の交換が活発になされ、人脈の形成に役立てられている。
【０００３】
しかし、連絡先の登録後、一度も連絡をしないまま、長期間経過してしまうという場合も少なくない。また、以前は連絡を取っていたが、最近は、連絡を取っていないという場合もある。このように、長期間連絡を取らない場合、一旦、形成された人脈も消失してしまう。
こういった状況を防ぐためには、アドレス帳に登録された連絡先それぞれとの連絡状況を把握しておく必要がある。しかし、連絡先が大量に登録されている場合には、ユーザが連絡先それぞれとの連絡状況を全て把握することは困難である。
【０００４】
各連絡先との連絡状況を把握する技術として、長期間連絡を取っていない連絡先を、アドレス帳の検索機能を使用して検索できる技術が開示されている（特許文献２参照）。
【特許文献１】特願２００４−３７０９８号公報
【特許文献２】特願２００４−３５７１４２号公報
【発明の開示】
【発明が解決しようとする課題】
【０００５】
しかし、特許文献２の技術では、長期間連絡を取っていない連絡先が検索されるに留まり、長期間連絡を取っていない各連絡先との連絡は、ユーザが、自らメールを作成して送信し、又は、電話をかけて行う必要がある。従って、長期間連絡を取っていない連絡先の数が多い場合には、ユーザへの操作負担が大きくなる。
そこで、本発明はかかる問題に鑑みてなされたものであり、ユーザの操作負担を最小限に抑えつつ、アドレス帳に登録された各連絡先との人脈の維持に役立てることができる電話機を提供することを目的とする。
【課題を解決するための手段】
【０００６】
上記課題を解決するために本発明にかかる電話機は、複数の連絡先それぞれについて、少なくとも１つのメールアドレスを含むアドレス帳を記憶するアドレス帳記憶手段と、各連絡先について、当該連絡先との間での直近の通信時を示す最終通信時情報を記憶する履歴記憶手段と、前記履歴記憶手段に記憶された各連絡先についての最終通信時情報が示す通信時から所定期間以上経過しているかを判定する経過判定手段と、前記経過判定手段により肯定的な判定がなされた各連絡先についてのメールアドレスを宛先とするメールを送信するメール送信手段とを備える
ことを特徴とする。
【発明の効果】
【０００７】
上述の構成を備える本発明にかかる電話機は、アドレス帳に登録された各連絡先のうち、所定期間以上連絡を取っていない連絡先についてのメールアドレスを宛先としたメールを作成し、送信するため、ユーザの操作負担を最小限に抑えつつ、アドレス帳に登録された連絡先それぞれについて、長期間連絡を取らないという状況を防ぐことができ、人脈の維持に役立てることが可能となる。
【０００８】
ここで、前記所定期間は、連絡先毎にそれぞれ定めたものであって、前記経過判定手段は、連絡先毎に定めた前記所定期間に従って前記判定をすることとしてもよい。
これにより、連絡先毎に前記所定期間を定めているため、例えば、最近登録した
連絡先に対しては、前記所定期間を短く定めることにより、その連絡先を示す相手との人脈を早期に深めることに役立てることが可能となる。
【０００９】
また、前記履歴記憶手段は、各連絡先について、当該連絡先との間での最終通信時情報を含む複数の通信時を示す通信時情報を記憶するものであって、連絡先毎に定めた前記所定期間は、当該連絡先の通信時情報に示される通信時の各間隔を基に算出した値であることとしてもよい。
これにより、過去の連絡の間隔を基に算出した値を前記所定時間とするため、連絡先それぞれとの交流の程度を維持することが可能となる。
【００１０】
また、前記履歴記憶手段は、各連絡先について、当該連絡先との間での最終通信時情報とその一つ前の通信時を示す情報とを記憶するものであって、前記所定期間は、各連絡先についての最終通信時情報が示す通信時とその一つ前の通信時情報が示す通信時との間隔であることとしてもよい。
これにより、直近の通信時とその一つ前の通信時との連絡の間隔を前記所定期間とするため、過去の通信時の履歴を大量に保持しなくてもよく、履歴保持に必要なメモリ領域の軽減を図ることが可能となる。
【００１１】
また、前記アドレス帳記憶手段は、各連絡先について、更に電話番号を有するものであって、前記電話機は、更に前記メール送信手段がメールを送信した後、当該メールの宛先であるメールアドレスを含む連絡先から所定期間以上通信がないことを、当該メールアドレス及び当該メールアドレスを含む連絡先についての電話番号のいずれからも通信がないことをもって判定する通信判定手段と、通信判定手段により、当該メールの宛先であるメールアドレスを含む連絡先から所定期間以上通信がないと判定された各連絡先について、当該連絡先に係る情報をアドレス帳から削除する削除手段とを備えることとしてもよい。
【００１２】
ここで、削除とは、削除対象となる情報は残したままとし、別の情報を上書きできる状態に管理することも含む。
これにより、所定期間以上連絡を取っていない連絡先に送信したメールに対して、電話、メールによる通信が所定期間以上なく、人脈が消失したと判断できる連絡先を削除するため、今後、使用しない連絡先が占有するアドレス帳領域を開放することが可能となる。
【００１３】
また、前記電話機は、更に前記メール送信手段がメールを送信した後、当該メールのメールアドレスと所定のメッセージをメール本文に含む配信エラーメールが送られてきたことを検出するメール受信手段と、前記メール受信手段が、配信エラーメールを検出すると、前記メール送信手段が送信したメールの宛先であるメールアドレスを含む連絡先について、他のメールアドレスが前記アドレス帳に記録されているときは、当該他のメールアドレスを宛先とするメールを送信する再送信手段とを備えることとしてもよい。
【００１４】
これにより、所定期間以上連絡を取っていない連絡先に送信したメールに対して、メールアドレスが存在しない旨の配信エラーメールが送られてきた場合に、その連絡先についての別のメールアドレスがあるときは、その別のメールアドレスを宛先としたメールを再度送信するため、最初に送信したメールのメールアドレスが存在しなくなっている場合でも、他のメールアドレスを使用して人脈を維持できる可能性を向上させることができる。
【００１５】
また、前記電話機は、更に連絡先毎にアドレス帳の内容の最後の更新時を示す最終更新時情報を記憶する更新時記憶手段と、各連絡先についての当該最終更新時情報が示す更新時から前記所定期間以上経過していない場合には、前記経過判定手段の判定のいかんにかかわらず、メール送信手段による各連絡先についてのメールを宛先とするメールの送信を抑止する送信抑止手段とを備えることとしてもよい。
【００１６】
ここで、アドレス帳の内容とは、例えば、各連絡先についてのメールアドレス、電話番号をいう。
これにより、直近の通信時から所定期間以上経過していても、アドレス帳の内容の直近の更新時から所定期間以上経過していない場合には、メールが送信されないため、メール送信料の軽減を図ることが可能となる。なお、例えば、連絡先のメールアドレスが更新された後、所定期間以内である場合、メールアドレスの更新にあたり、別の手段により、新しいメールアドレスを通知する連絡が行われたと考えられる。そのため、改めてメールを送信しなくてもその連絡先を示す相手との人脈の維持はできていると考えられる。
【００１７】
また、前記経過判定手段は、予め周期的に定めた時が到来した時点で、前記判定を行うこととしてもよい。
ここで、定期的に定めた時とは、毎日１０：００、毎週月曜日１０：００など予め定期的に定めた時刻をいう。
これにより、定めた時が到来した時点で、各連絡先と所定期間以上連絡を取ってないかが判定され、メールが送信されるため、例えば、毎日１２：００に定めていれば、メールの送信先となる各連絡先の迷惑になりにくい昼休みにメールを送信することが可能となる。
【００１８】
また、前記経過判定手段は、ユーザにより所定の操作がなされたときに前記判定を行うこととしてもよい。
また、前記メール送信手段は、ユーザにより所定の操作がなされたときに前記メールを送信することとしてもよい。
これらにより、ユーザが所定の操作を行った場合に、各連絡先と所定期間以上連絡を取っていないかの判定、又は、メールの送信がなされるため、例えば、携帯電話の電池の残量が少ない場合にメールが送信され、電池が切れてしまうような事態を避けることが可能となる。
【００１９】
また、本発明にかかる電話機は、複数の連絡先それぞれについて、メールアドレス、電話番号のうち少なくともいずれか１つを含むアドレス帳を記憶するアドレス帳記憶手段と、各連絡先について、当該連絡先との間でのメール及び電話のいずれかの手段により最後に行われた通信時を示す最終通信時情報を記憶する履歴記憶手段と、前記履歴記憶手段に記憶された各通信先についての最終通信時を示す情報から各連絡先との通信が行われていない期間をそれぞれ算定する算定手段と前記算定手段により算定された各連絡先との通信が行われていない期間に基づき、各連絡先を分類する分類手段と、前記分類手段によりなされた分類のうち、ユーザに指定された分類に含まれる全ての連絡先を削除する削除手段とを備えることを特徴とする。
【００２０】
上述の構成を備える本発明にかかる電話機は、直近の通信時からの経過期間毎に各連絡先を分類して表示し、ユーザは分類を指定して、指定した分類に含まれる全ての連絡先を一括削除できるため、連絡先の削除に要するユーザの負担を軽減することが可能となる。
【発明を実施するための最良の形態】
【００２１】
以下、本発明を実施するための最良の形態を、図面を参照しながら説明する。
≪実施形態１≫
＜概要＞
実施形態１に係る電話機１００は、アドレス帳から通信相手となる連絡先を選択してメールを送信すること又は通話をすることが可能な携帯電話機であって、従来の携帯電話機を改良したものである。
【００２２】
この電話機１００は、メールの送受信又は電話の発着信による通信が行われると、連絡先毎に通信日時を示す情報を更新して記憶する、即ち、常に各連絡先との直近の通信日時を示す情報である最終通信日時を記憶する機構を有する。
また、アドレス帳にメールアドレス等が登録された日時（又はメールアドレス等が変更された場合には変更の日時）を示す情報である最終更新日時を記憶する機構を有する。
【００２３】
電話機１００は、各連絡先について、連絡先に含まれるメールアドレス等の最終更新日時が示す日時から、例えば、６ヶ月といった所定期間を示す情報である通信間隔期間が示す期間を経過し、かつ、各連絡先についての最終通信日時が示す日時から通信間隔期間が示す期間を経過しているかを判定する経過判定処理を自動的に繰り返し行う。
また、経過判定処理により、通信間隔期間以上連絡を取っていないと判定された各連絡先についてのメールアドレスを宛先としたメールをそれぞれ自動的に作成し、自動的に送信する。これにより、通信間隔期間が示す期間を経過しても連絡を取っていない各連絡先との交流を図ることができる。
【００２４】
また、電話機１００は、経過判定処理により、通信間隔期間以上連絡を取っていないとされた各連絡先に送付したメールの送信日時を示す情報を記憶する機構を有する。このメールの送信日時は、前述の各連絡先との最終通信日時とは別に記憶される。
電話機１００は、通信間隔期間が示す期間を経過している各連絡先へのメールの送信日時から３日間といった所定期間である返信期間内に、各メールの宛先であるメールアドレスを含む各連絡先から、返信があるか否か等に応じて、次の処理を行う。
【００２５】
電話機１００は、返信期間内に、送信したメールの宛先であるメールアドレスからのメール又は送信したメールの宛先であるメールアドレスを含む連絡先についての電話番号からの電話（以下、「メール等による返信」という）があった場合には、最終通信日時を示す情報を更新し、メール等による返信がない場合には、返信がなかった各連絡先についての情報をアドレス帳から削除する。メール等による返信がない場合には、通信相手から交流を絶たれたと判断できるためである。
【００２６】
また、通信間隔期間が示す期間を経過している各連絡先へメールを送信した後、宛先としたメールアドレスが存在しない旨の配信エラーメールが届いた場合には、存在しないとされたメールアドレスを含む連絡先について、他のメールアドレスがある場合には、他のメールアドレスを宛先としたメールを送信する。これにより、最初に送ったメールが届かない場合でも、交流を図れる可能性が高まる。
【００２７】
なお、以前は有効であったメールアドレスについて、メールアドレスが存在しない旨の配信エラーメールが届く原因としては、通信相手がメールアドレスを変更した場合が考えられる。
＜構成＞
以下、実施形態１に係る電話機１００の構成について説明する。
【００２８】
図１は、実施形態１に係る電話機１００の構成図である。
電話機１００は、同図に示すとおり、操作部１０１、計時部１０２、履歴記憶部１０３、アドレス帳記憶部１０４、経過判定部１０５、雛形メール記憶部１０６、送信処理部１０７、通信部１０８、表示部１０９、受信処理部１１０を備える。
なお、電話機１００は、図示していないが、ＣＰＵ（Central Processing Unit）及びメモリを備え、経過判定部１０５、送信処理部１０７、受信処理部１１０の各機能は、メモリに記憶されているプログラムをＣＰＵに実行させることにより実現される。
【００２９】
また、電話機１００は、従来の携帯電話機を改良したものであり、図１は、本発明に関係のある機能についてのみ示している。本発明に関係のないその他の機能については、従来の携帯電話機と同様であるため、説明は省略する。
ここで、操作部１０１は、いわゆるテンキー等のキー群やボタン群を含むものであり、ユーザがアドレス帳記憶部１０４へ連絡先を登録する場合や、定期的に処理を行う時刻を経過判定部１０５へ指定する場合に使用される。
【００３０】
計時部１０２は、いわゆる時計であり、現在の日時を計時して、現在の日時を示す情報を履歴記憶部１０３、アドレス帳記憶部１０４、経過判定部１０５、送信処理部１０７へ伝達する回路である。
履歴記憶部１０３は、連絡先を識別するＩＤ、最終通信日時から構成される、後述する最終通信時情報を記憶する不揮発性のメモリである。履歴記憶部１０３は、メールの送受信等があった場合に、計時部１０２より現在の日時を示す情報を取得し、最終通信日時として記憶する。
【００３１】
アドレス帳記憶部１０４は、連絡先を識別するＩＤ、氏名、電話番号、メールアドレス、通信間隔期間、最終更新日時から構成される、後述するアドレス帳情報を記憶する不揮発性のメモリである。
ここで、通信間隔期間は、後述する経過判定部１０５の経過判定処理における判定基準となる期間を示す情報である。従来の携帯電話機においても、氏名、電話番号、メールアドレスは、操作部１０１を通じてユーザにより入力されるものであるが、これらと同様に、通信間隔期間もユーザにより入力されるものである。
【００３２】
アドレス帳記憶部１０４は、電話番号又はメールアドレスが更新されると、計時部１０２より取得した現在の日時を示す情報を最終更新日時として記憶する。
経過判定部１０５は、計時部１０２から取得した現在の日時を示す情報と履歴記憶部１０３に記憶された各連絡先の最終通信日時が示す日時とアドレス帳記憶部１０４に記憶された通信間隔期間が示す期間と最終更新日時が示す日時を用いて、各連絡先と通信間隔期間以上連絡を取っていないかを判定する経過判定処理を行い、通信間隔期間以上連絡を取っていないと判定された各連絡先を識別するＩＤを送信処理部１０７に伝達する機能を有する。
【００３３】
雛形メール記憶部１０６は、予め作成されたメールの雛形を記憶する不揮発性のメモリである。この雛形は、後述する送信処理部１０７が送信するメールの本文として使用される。
送信処理部１０７は、経過判定部１０５又は受信処理部１１０から各連絡先のＩＤを取得する度に、各連絡先のＩＤ及び後述するメールのメールアドレス種別を示す情報に対応するメールアドレスをアドレス帳記憶部１０４のアドレス帳情報から取得し、これをメールの宛先とし、また、雛形メール記憶部１０６から取得した雛形をメールの本文とするメールを作成し、通信部１０８を通じて送信する機能を有する。メール送信後、取得した各連絡先のＩＤ、後述する送信したメールのメールアドレスの種別を示す情報、及び、メールを送信した日時を示す情報を受信処理部１１０に伝達する機能を有する。メールを送信した日時を示す情報は、メールを送信した際に、計時部１０２から取得した現在の日時を示す情報である。
【００３４】
通信部１０８は、従来から携帯電話機に備えられているメールの送受信、音声の送受信を行う回路である。
表示部１０９は、液晶ディスプレイ（ＬＣＤ：Liquid Crystal Display）を含み、操作部１０１から入力された文字等を表示し、送信処理部１０７及び受信処理部１０９からの指示に従い、それぞれメールを送信した旨の表示及び送信エラーになった旨の表示を行うものである。
【００３５】
また、受信処理部１１０は、送信処理部１０７から各連絡先のＩＤ、後述する送信したメールのメールアドレスの種別を示す情報、メールを送信した日時を示す情報を取得すると、送信処理部１０７が送信したメールの情報である、後述する送信中メール情報を更新する機能を有する。
また、受信処理部１１０は、送信処理部１０７が送信したメールのメールアドレスを含む連絡先から、返信期間内にメール等による返信があるかに応じて、送信したメールのメールアドレスを含む連絡先を削除し、又は、履歴記憶部１０３に最終更新日時の更新を行わせる。メール等による返信が返信期間内になされたかは、後述する送信中メール情報の内容及び計時部１０２から取得した現在の日時を示す情報が示す日時を用いて判断される。
【００３６】
また、送信処理部１０７がメールを送信した後、送信したメールのメールアドレスが存在しない旨の配信エラーメールが届いた場合に、受信処理部１１０は、存在しないとされたメールアドレスを含む連絡先のＩＤと存在しないとされたメールアドレスとは異なるメールアドレスの種別を示す情報を送信処理部１０７に伝達する機能を有する。配信エラーメールか否かの判断は、受信したメールの本文に、送信処理部１０７が送信したメールのメールアドレス及び「送信エラー」、「Ｕｓｅｒ  Ｕｎｋｎｏｗｎ」等の所定の文字列が含まれているかにより判断する。「送信エラー」、「Ｕｓｅｒ  Ｕｎｋｎｏｗｎ」等の所定の文字列は、宛先であるメールアドレスが存在しない場合に、メールサーバが送信元のメールアドレスに返すメールの本文に含まれる文字列のうちの代表的な文字列を網羅的に選択したものである。
＜データ＞
以下、実施形態１に係る電話機１００で使用するデータについて説明する。
【００３７】
図２は、アドレス帳情報のデータ構成と内容例を示す図である。
同図に示すように、アドレス帳記憶部１０４に記憶されているアドレス帳情報３００は、通信相手となる連絡先毎に、ＩＤ３０１、氏名３０２、電話番号３０３、第１メールアドレス３０４、第２メールアドレス３０５、通信間隔期間３０６、最終更新日時３０７を対応付けて構成されている。
【００３８】
ここで、ＩＤ３０１は、各連絡先を識別するための番号であり、管理上、割り振られるものである。ＩＤ３０１に割り振られる数字は１から連番になっており、アドレス帳情報から１つのＩＤに対応する連絡先についての情報が削除された場合には、ＩＤ３０１に割り振られる数字は連番になるよう、振りなおされる。
氏名３０２は、メール、電話の相手を示す名称であり、電話番号３０３は、その相手が所有する電話機に割り振られた電話番号であり、第１メールアドレス３０４は、その相手が所有するメールアドレスであり、第２メールアドレス３０５は、その相手が所有するメールアドレスのうち、第１メールアドレス３０４とは異なるメールアドレスである。
【００３９】
通信間隔期間３０６は、経過判定部１０５の経過判定処理において、判定基準となる期間を示す情報であって、ユーザが希望する各連絡先との交流の程度を示す情報である。通信間隔期間３０６は、ユーザにより連絡先毎に指定されるものである。
例えば、ユーザが密な交流を行いたいと考えている連絡先に対しては、比較的短い期間を指定することにより、ユーザがその連絡先と通信間隔期間以上、連絡を取っていない場合でも、本発明の機能により自動的にメールが送付されるため、ユーザが希望する交流の程度を維持することができる。
【００４０】
最終更新日時３０７は、電話番号３０３、第１メールアドレス３０４、及び、第２メールアドレス３０５のいずれかについて、登録又は変更された直近の日時を示す情報である。
なお、氏名３０２、電話番号３０３、第１メールアドレス３０４、第２メールアドレス３０５、通信間隔期間３０６は、ユーザが操作部１０１を通じて、入力、更新、参照できるが、ＩＤ３０１、最終更新日時３０７は、管理上の情報であり、ユーザは入力、更新、参照できない。
【００４１】
同図は、例えば、管理上割り当てられた番号が「１」の「佐藤一郎」という人が所有する電話機の電話番号が「０９０△△△△１１１１」であり、メールアドレスが「ｉｃｈｉｒｏ＠ｅｚｘｘ．ｎｅ．ｊｐ」と「ｉｃｈｉｒｏ＠ｘｘｍａｉｌ．ｃｏｍ」であり、通信時間隔期間が示す期間が「３０日」であり、電話番号又はメールアドレスの最終更新日時が示す日時が「２００３／７／１  １８：１６」であることを示している。
【００４２】
図３は、最終通信履歴情報のデータ構成と内容例を示す図である。
同図に示すように、履歴記憶部１０３に記憶されている最終通信履歴情報４００は、連絡先毎に、ＩＤ４０１、最終通信日時４０２を対応付けて構成されている。
ここで、ＩＤ４０１は、図２に示すアドレス帳情報３００のＩＤ３０１と対応する番号であって、アドレス帳情報３００に新たな連絡先が登録され、ＩＤ３０１が割り振られると、ＩＤ３０１に割り振られた番号と同じ番号が、ＩＤ４０１に記憶される。
【００４３】
最終通信日時４０２は、ＩＤ４０１に対応した通信相手となる連絡先とメールの送受信及び電話の発着信のいずれかが行われた直近の日時を示す情報である。
同図は、例えば、アドレス帳情報３００のＩＤ３０１が「１」である連絡先（佐藤一郎）との直近の通信日時が示す日時は、「２００６／６／３０  １９：２１」であることを示している。
【００４４】
図４は、送信中メール情報のデータ構成と内容を示す図である。
同図に示すように、受信処理部１１０に記憶されている送信中メール情報６００は、ＩＤ６０１、メールＮｏ．６０２、送信日時６０３を対応付けて構成されている。
ここで、ＩＤ６０１は、図２に示すアドレス帳情報３００のＩＤ３０１と対応する番号であって、経過判定部１０５の経過判定処理により所定期間以上連絡を取っていないとの判定がなされ、メールを送信した各連絡先のＩＤである。
【００４５】
メールＮｏ．６０２は、送信したメールのメールアドレスが第１メールアドレスと第２メールアドレスのいずれであるかを示す番号であって、１の場合は第１メールアドレスを示し、２の場合は第２メールアドレスであることを示す。
送信日時６０３は、送信処理部１０７がメールを送信した日時を示す情報である。
ここで、雛形メール記憶部１０６が記憶する雛形について説明する。
【００４６】
雛形は、送信処理部１０７が送信するメールの本文になる、テキスト形式の文字データである。雛形として記憶する文字データは、例えば、「お久しぶりです。暫く連絡を取っていませんでしたが、お変わりありませんか？私のほうは相変わらずの生活で、ここ半年ほどヨーロッパの支社におりましたが、１週間ほど前に日本戻ってきました。お互い忙しくなかなかお会いする機会もありませんが、また近況などをお知らせ頂けたら幸いです。」といったものである。
＜動作＞
以下、上記構成を備え、上述したデータを取り扱う電話機１００の動作を説明する。
（経過判定部１０５の動作）
まず、経過判定部１０５における経過判定処理に関する動作について図５を用いて説明する。なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
【００４７】
経過判定部１０５は、計時部１０２から現在の日時を示す情報を繰り返し取得し、
現在の日時を示す情報が示す時刻とユーザにより指定された経過判定処理を行う時刻「１０：００」が示す時刻とを比較し、一致した場合には（ステップＳ１０：Ｙ）、経過判定部１０５は、計時部１０２から取得した現在の日時を示す情報を、処理を開始した処理開始日時としてメモリに記憶する。
【００４８】
経過判定部１０５は、まず、ＩＤが１である場合に着目して処理を行う（ステップＳ１１）。経過判定部１０５は、アドレス帳記憶部１０４に記憶されているアドレス帳情報３００のＩＤ３０１に、着目するＩＤと一致するものがあるかを確認する（ステップＳ１２）。
着目するＩＤと一致するものがない場合には（ステップＳ１２：Ｎ）、経過判定部１０５は処理を終了し、着目するＩＤと一致するものがある場合には（ステップＳ１２：Ｙ）、経過判定部１０５は、アドレス帳記憶部１０４のアドレス帳情報３００から着目するＩＤに対応する通信間隔期間３０６と最終更新日時３０７を取得する（ステップＳ１３）。
【００４９】
経過判定部１０５は、メモリに記憶してある処理開始日時が示す日時から、取得した最終更新日時３０７が示す日時を減じて、最終更新日時３０７からの経過期間を算出し、最終更新日時３０７からの経過期間が、通信間隔期間３０６が示す期間以上であるかを判定する（ステップＳ１４）。
最終更新日時３０７からの経過期間が、通信間隔期間３０６が示す期間以上である場合は（ステップＳ１４：Ｙ）、経過判定部１０５は、履歴記憶部１０３に記憶されている最終通信履歴情報４００に、着目するＩＤに対応する最終通信日時４０２があるかを確認する（ステップＳ１５）。
【００５０】
着目するＩＤに対応する最終通信日時４０２がある場合には（ステップＳ１５：Ｙ）、経過判定部１０５は、履歴記憶部１０３の最終通信履歴情報４００から、着目するＩＤに対応する最終通信日時４０２を取得する（ステップＳ１６）。
経過判定部１０５は、メモリに記憶してある処理開始日時が示す日時から、取得した最終通信日時４０２が示す日時を減じて、最終通信日時４０２からの経過期間を算出し、最終通信日時４０２からの経過期間が、通信間隔期間３０６が示す期間以上であるかを判定する（ステップＳ１７）。
【００５１】
最終通信日時４０２からの経過期間が、通信間隔期間３０６が示す期間以上である場合は（ステップＳ１７：Ｙ）、経過判定部１０５は、着目するＩＤを送信処理部１０７へ伝達する（ステップＳ１８）。
ステップＳ１５において、最終通信履歴情報４００に、着目するＩＤに対応する最終通信日時４０２がなかった場合は（ステップＳ１５：Ｎ）、ステップＳ１８へ進む。
【００５２】
経過判定部１０５は、ＩＤを１つ増やし、着目するＩＤを変更し（ステップＳ１９）、ステップＳ１２に戻る。
ステップＳ１４において、最終更新日時３０７からの経過期間が、通信間隔期間３０６が示す期間未満である場合（ステップＳ１４：Ｎ）、又は、ステップＳ１７において、最終通信日時４０２からの経過期間が、通信間隔期間３０６が示す期間未満である場合は（ステップＳ１７：Ｎ）、ステップＳ１９に進む。
（送信処理部１０７の動作）
次に、送信処理部１０７におけるメール送信に関する動作について図６を用いて説明する。
【００５３】
送信処理部１０７は、経過判定部１０５又は受信処理部１１０からＩＤを取得すると（ステップＳ２０：Ｙ）、メールＮｏ．を受信処理部１１０から取得したか確認し（ステップＳ２１）、メールＮｏ．を取得していない場合は（ステップＳ２１：Ｎ）、メールＮｏ．を１に設定する（ステップＳ２２）。
送信処理部１０７は、アドレス帳記憶部１０４のアドレス帳情報３００に、取得したＩＤ及びメールＮｏ．に対応するメールアドレスがあるかを確認する（ステップＳ２３）。メールＮｏ．に対応するメールアドレスとは、メールＮｏ．が１の場合には、第１メールアドレス３０４であり、メールＮｏ．が２の場合には、第２メールアドレス３０５である。
【００５４】
取得したＩＤ及びメールＮｏ．に対応するメールアドレスがないときは（ステップＳ２３：Ｎ）、送信処理部１０７は、取得したＩＤと有効なメールアドレスがない旨の情報を受信処理部１１０に伝達し（ステップＳ２４）、処理を終了する。
ステップＳ２３において、取得したＩＤ及びメールＮｏ．に対応するメールアドレスがあるときは（ステップＳ２３：Ｙ）、送信処理部１０７は、アドレス帳記憶部１０４のアドレス帳情報３００から、取得したＩＤとメールＮｏ．に対応するメールアドレスを取得する（ステップＳ２５）。
【００５５】
送信処理部１０７は、雛形メール記憶部１０６から雛形を取得し（ステップＳ２６）、取得したメールアドレスを宛先とし、取得した雛形をメール本文とするメールを作成し、送信し（ステップＳ２７）、送付したメールのメールアドレス及びメールを送信した旨の情報を表示部１０９に伝達する。
また、送信処理部１０７は、取得したＩＤ、メールＮｏ．、メールの送信日時を受信処理部１１０に伝達する（ステップＳ２８）。
【００５６】
ステップＳ２１において、メールＮｏ．を受信処理部１１０から取得している場合には（ステップＳ２１：Ｙ）、ステップＳ２３に進む。
（受信処理部１１０の送信メール情報６００の更新に関する動作）
次に、受信処理部１１０における送信中メール情報６００の更新に関する動作について図７を用いて説明する。
【００５７】
受信処理部１１０は、送信処理部１０７からＩＤを取得すると（ステップＳ３０：Ｙ）、ＩＤと共に送信処理部１０７から取得した情報を確認する（ステップＳ３１）。
ステップＳ３１において、メールＮｏ．とメールの送信日時を取得している場合は、受信処理部１１０は、受信処理部１１０に記憶する送信中メール情報６００のＩＤ６０１に、取得したＩＤと一致するものがあるかを確認し（ステップＳ３２）、取得したＩＤと一致するものがあるときは（ステップＳ３２：Ｙ）、取得したＩＤに対応する送信中メール情報６００のメールＮｏ．、送信日時を更新し（ステップＳ３３）、処理を終了する。
【００５８】
ステップＳ３２において、送信中メール情報６００のＩＤ６０１に、取得したＩＤと一致するものがないときは（ステップＳ３２：Ｎ）、受信処理部１１０は、送信中メール情報６００に、取得したＩＤ、メールＮｏ．、メールの送信日時を追加し（ステップＳ３４）、処理を終了する。
ステップ３１において、有効なメールアドレスがない旨の情報を取得している場合は、受信処理部１１０は、表示部１０９に、取得したＩＤについての連絡先に含まれる全てのメールアドレスにおいて送信エラーになった旨の表示を行わせ（ステップＳ３５）、取得したＩＤについての情報を送信中メール情報６００から削除する（ステップＳ３６）。
【００５９】
操作部１０１は、ユーザから送信エラーとなった連絡先を削除する旨の操作がなされると、送信エラーとなった連絡先を削除する指示がなされた旨の削除指示情報を受信処理部１１０に伝達し、受信処理部１１０が削除指示情報を取得した場合には（ステップＳ３７：Ｙ）、アドレス帳記憶部１０４のアドレス帳情報３００から、取得したＩＤに対応する連絡先についての情報を削除し（ステップＳ３８）、処理を終了する。
【００６０】
ステップＳ３７において、受信処理部１１０が削除指示情報を取得しなかった場合は（ステップ３７：Ｎ）、受信処理部１１０は、処理を終了する。
（受信処理部１１０の受信処理に関する動作）
次に、受信処理部１１０における受信処理に関する動作について図８を用いて説明する。
【００６１】
受信処理部１１０は、受信処理部１１０に記憶する送信中メール情報６００にデータがあるかを確認し（ステップＳ４０）、データがない場合には（ステップＳ４０：Ｎ）、処理を終了し、データがある場合には（ステップＳ４０：Ｙ）、メールの受信、電話の着信があるか確認する（ステップＳ４１）。
メールの受信等がない場合は（ステップＳ４１：Ｎ）、受信処理部１１０は、計時部１０２から現在の日時を示す情報を取得し、送信中メール情報６００の送信日時６０３を参照し、現在の日時を示す情報が示す日時から送信日時６０３が示す日時を減じて、メールを送信してからの経過期間を算出し、メールを送信してからの経過期間が、所定の返信期間である３日以上のものがあるかを確認する（ステップＳ４２）。
【００６２】
メールを送信してからの経過期間が３日以上のものがない場合には（ステップＳ４２：Ｎ）、ステップＳ４１に戻る。
ステップＳ４２において、メールを送信してからの経過期間が３日以上のものがある場合には（ステップＳ４２：Ｙ）、受信処理部１１０は、メール情報６００のＩＤ６０１から該当するＩＤを取得し、アドレス帳記憶部１０４のアドレス帳情報３００から、取得したＩＤに対応する連絡先についての情報を削除し（ステップＳ４３）、処理を終了する。
【００６３】
ステップ４１において、メールの受信等がある場合は（ステップＳ４１：Ｙ）、受信処理部１１０は、送信中メール情報６００のＩＤ６０１に対応するアドレス帳記憶部１０４のアドレス帳情報３００の電話番号３０３、第１メールアドレス３０４、及び、第２メールアドレス３０５のいずれかと、受信したメールのメールアドレス又は着信した電話の電話番号とが一致するかを確認する（ステップＳ４４）。
【００６４】
受信したメールのメールアドレス又は着信した電話の電話番号が一致した場合には（ステップＳ４４：Ｙ）、受信処理部１１０は、アドレス帳情報３００より受信したメールのメールアドレス等に対応するＩＤ３０１を取得する。受信処理部１１０は、履歴記憶部１０３に、取得したＩＤに対応する最終通信日時４０２をメールの受信日時又は電話の着信日時を示す情報により更新させる（ステップＳ４５）。受信処理部１１０は、取得したＩＤについての情報を送信中メール情報６００から削除し（ステップＳ４６）、処理を終了する。
【００６５】
ステップＳ４４において、受信したメールのメールアドレス又は着信した電話の電話番号が一致しない場合には（ステップＳ４４：Ｎ）、受信処理部１１０は、配信エラーメールを受信しているかを確認する（ステップ４７）。具体的には、送信中メール情報６００を参照し、ＩＤ６０１及びメールＮｏ．６０２に対応するメールアドレスをアドレス帳記憶部１０４のアドレス帳情報３００から取得し、受信したメールの本文に取得したメールアドレスと「送信エラー」、「Ｕｓｅｒ  ｕｎｋｎｏｗｎ」等所定の文字列が含まれている場合には、配信エラーメールを受信していると判断する。
【００６６】
ステップＳ４７において、配信エラーメールを受信している場合は（ステップＳ４７：Ｙ）、受信処理部１１０は、送信中メール情報６００から配信エラーメールに含まれるメールアドレスについてのＩＤ６０１とメールＮｏ．６０２を取得し、取得したＩＤ６０１と、メールＮｏ．６０２を１つ増やしたものを送信処理部１０７に伝達する。
ステップＳ４７において、配信エラーメールでない場合には（ステップＳ４７：Ｎ）、受信処理部１１０は、受信したメールのメールアドレス又は着信した電話の電話番号が、アドレス帳記憶部１０４のアドレス帳情報３００の電話番号３０３、第１メールアドレス３０４、第２メールアドレス３０５のいずれかにある場合には、受信したメールのメールアドレス等に対応するアドレス帳情報３００のＩＤ３０１を取得する。
【００６７】
受信処理部１１０は、履歴記憶部１０３に、取得したＩＤ３０１に対応する履歴記憶部１０３の最終通信履歴情報４００の最終通信日時４０２をメールの受信日時又は電話の着信日時を示す情報により更新させ（ステップＳ４９）、処理を終了する。受信したメールのメールアドレス又は着信した電話の電話番号が、アドレス帳情報３００にない場合には、受信処理部１１０は、何も行わず、処理を終了する。
＜具体的な動作＞
次に、ここまで説明してきた各部の動作を、図２のアドレス帳情報３００の内容例及び図３の最終通信履歴情報４００の内容例を用いて、具体的に説明する。
【００６８】
なお、メールアドレス「ｊｉｒｏ＠ｙａｈｘｘ．ｎｅ．ｊｐ」へメールを送信した場合、「ｐｏｓｔｍａｓｔｅｒ＠ｘｘｐｈｏｎｅ．ｎｅ．ｊｐ」から「ｊｉｒｏ＠ｙａｈｘｘ．ｎｅ．ｊｐ」と「送信エラー」の文字列が含まれるメールを受信し、また、「ｊｉｒｏ＠ｘｘｍａｉｌ．ｃｏｍ」にメールを送信した場合、「２００６／７／２／１９：１８」に「ｊｉｒｏ＠ｘｘｍａｉｌ．ｃｏｍ」からメールを受信した場合を想定する。
（経過判定部１０５の動作）
まず、経過判定部１０５における経過判定処理に関する動作について図５を用いて説明する。なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
【００６９】
経過判定部１０５は、計時部１０２から現在の日時を示す情報を繰り返し取得し、現在の日時を示す情報が示す時刻とユーザにより指定された経過判定処理を行う時刻「１０：００」が示す時刻とを比較し、一致した場合には（ステップＳ１０：Ｙ）、経過判定部１０５は、計時部１０２から取得した現在の日時、例えば「２００６／７／２  １０:００」を示す情報を、処理を開始した処理開始日時としてメモリに記憶する。
【００７０】
経過判定部１０５は、まず、ＩＤが「１」である場合に着目して処理を行う（ステップＳ１１）。経過判定部１０５は、アドレス帳記憶部１０４に記憶されているアドレス帳情報３００のＩＤ３０１に、着目するＩＤ「１」と一致するものがあるかを確認する（ステップＳ１２）。
着目するＩＤと一致するものがあるため（ステップＳ１２：Ｙ）、経過判定部１０５は、アドレス帳記憶部１０４のアドレス帳情報３００から、着目するＩＤ「１」に対応する通信間隔期間３０６「３０日」と、最終更新日時３０７「２００３／７／１  １８：１５」を取得する（ステップＳ１３）。
【００７１】
経過判定部１０５は、メモリに記憶してある処理開始日時「２００６／７／２  １０：００」が示す日時から、取得した最終更新日時３０７「２００３／７／１  １８：１５」が示す日時を減じて、最終更新日時３０７からの経過期間を算出し、最終更新日時３０７からの経過時間が、通信間隔期間３０６が示す期間以上であるかを判定する（ステップＳ１４）。
【００７２】
最終更新日時３０７からの経過期間は「１０９７日」であり、通信間隔期間３０６が示す期間は「３０日」であるため、最終更新日時３０７からの経過時間が、通信間隔期間３０６が示す期間以上であり（ステップＳ１４：Ｙ）、経過判定部１０５は、履歴記憶部１０３に記憶されている最終通信履歴情報４００に、着目するＩＤ「１」に対応する最終通信日時４０２があるかを確認する（ステップＳ１５）。
【００７３】
最終通信履歴情報４００に、着目するＩＤ「１」に対応する最終通信日時４０２があるため（ステップＳ１５：Ｙ）、経過判定部１０５は、履歴記憶部１０３の最終通信履歴情報４００から、着目するＩＤ「１」に対応する最終通信日時４０２「２００６／６／３０  １９:２１」を取得する（ステップＳ１６）。
経過判定部１０５は、メモリに記憶している処理開始日時「２００６／７／２  １０：００」が示す日時から、取得した最終通信日時４０２「２００６／６／３０  １９:２１」が示す日時を減じて、最終通信日時４０２からの経過期間を算出し、最終通信日時４０２からの経過期間が、通信間隔期間３０６が示す期間以上であるかを判定する（ステップＳ１７）。
【００７４】
最終通信日時４０２からの経過期間は「１日」であり、通信間隔期間３０６が示す期間は「３０日」であるため、最終通信日時４０２からの経過期間が、通信間隔期間３０６が示す期間未満であり（ステップＳ１７：Ｎ）、ＩＤを１つ増やし、「２」とする（ステップＳ１９）。
次に、経過判定部１０５は、ＩＤが「２」である場合に着目する。
【００７５】
経過判定部１０５は、アドレス帳記憶部１０４に記憶されているアドレス帳情報３００のＩＤ３０１に、着目するＩＤ「２」と一致するものがあるかを確認する（ステップＳ１２）。
着目するＩＤ「２」と一致するものがあるため（ステップＳ１２：Ｙ）、経過判定部１０５は、アドレス帳記憶部１０４のアドレス帳情報３００から着目するＩＤ「２」に対応する通信間隔期間３０６「３０日」と、最終更新日時３０７「２００６／１／２  １１：１５」を取得する（ステップＳ１３）。
【００７６】
経過判定部１０５は、メモリに記憶してある処理開始日時「２００６／７／２  １０：００」が示す日時から、取得した最終更新日時３０７「２００６／１／２  １１：１５」が示す日時を減じて、最終更新日時３０７からの経過期間を算出し、最終更新日時３０７からの経過時間が、通信間隔期間３０６が示す期間以上であるかを判定する（ステップＳ１４）。
【００７７】
最終更新日時３０７からの経過期間は「１８０日」であり、通信間隔期間３０６が示す期間は「３０日」であるため、最終更新日時３０７からの経過時間が、通信間隔期間３０６が示す期間以上であり（ステップＳ１４：Ｙ）、経過判定部１０５は、履歴記憶部１０３に記憶されている最終通信履歴情報４００に、着目するＩＤ「２」に対応する最終通信日時４０２があるかを確認する（ステップＳ１５）。
【００７８】
着目するＩＤ「２」に対応する最終通信日時４０２があるため（ステップＳ１５：Ｙ）、経過判定部１０５は、履歴記憶部１０３の最終通信履歴情報４００から、着目するＩＤ「２」に対応する最終通信日時４０２「２００６／１／５  ２３:１７」を取得する（ステップＳ１６）。
経過判定部１０５は、メモリに記憶している処理開始日時「２００６／７／２  １０：００」が示す日時から、取得した最終通信日時４０２「２００６／１／５  ２３:１７」が示す日時を減じて、最終通信日時４０２からの経過期間を算出し、最終通信日時４０２からの経過期間が、通信間隔期間３０６が示す期間以上であるかを判定する（ステップＳ１７）。
【００７９】
最終通信日時４０２からの経過期間は「１７７日」であり、通信間隔期間３０６が示す期間は「３０日」であるため、最終通信日時４０２からの経過期間が、通信間隔期間３０６が示す期間以上であり（ステップＳ１７：Ｙ）、経過判定部１０５は、着目するＩＤ「２」を送信処理部１０７へ伝達する（ステップＳ１８）。
ＩＤが「３」である場合に着目して処理を行うため、ＩＤを１つ増やし、「３」とする（ステップＳ１９）。
【００８０】
次に、経過判定部１０５は、ＩＤが「３」である場合に着目する。
経過判定部１０５は、アドレス帳記憶部１０４に記憶されているアドレス帳情報３００のＩＤ３０１に、着目するＩＤ「３」と一致するものがあるかを確認する（ステップＳ１２）。
着目するＩＤ「３」と一致するものがあるため（ステップＳ１２：Ｙ）、経過判定部１０５は、アドレス帳記憶部１０４のアドレス帳情報３００から着目するＩＤ「３」に対応する通信間隔期間３０６が示す期間「１８０日」と、最終更新日時３０７「２００６／４／２４１０：０１」を取得する（ステップＳ１３）。
【００８１】
経過判定部１０５は、メモリに記憶してある処理開始日時「２００６／７／２  １０：００」が示す日時から、取得した最終更新日時３０７「２００６／４／２４１０：０１」が示す日時を減じて、最終更新日時３０７からの経過期間を算出し、最終更新日時３０７からの経過時間が、通信間隔期間３０６が示す期間以上であるかを判定する（ステップＳ１４）。
【００８２】
最終更新日時３０７からの経過期間は「６８日」であり、通信間隔期間３０６が示す期間は「１８０日」であるため、最終更新日時３０７からの経過時間が、通信間隔期間３０６が示す期間未満であり（ステップＳ１４：Ｎ）、経過判定部１０５は、ＩＤを１つ増やし、「４」とし（ステップＳ１９）、ステップＳ１２へ戻る。
以降、経過判定部１０５は、アドレス帳記憶部１０４に記憶されているアドレス帳情報３００のＩＤ３０１に着目するＩＤと一致するものがある間、着目するＩＤを変更しながらステップ１２〜１９の処理を繰り返し、着目するＩＤと一致するものがなくなった場合には、処理を終了する（ステップＳ１２：Ｎ）。
（送信処理部１０７における第１メールアドレスでの送信処理に関する動作）
次に、送信処理部１０７における第１メールアドレスでのメール送信処理に関する動作について図６を用いて説明する。
【００８３】
送信処理部１０７は、経過判定部１０５からＩＤ「２」を取得すると（ステップＳ２０：Ｙ）、メールＮｏ．を受信処理部１１０から取得したか確認する（ステップＳ２１）。
メールＮｏ．を取得していないため（ステップＳ２１：Ｎ）、送信処理部１０７は、メールＮｏ．を「１」に設定する（ステップＳ２２）。
送信処理部１０７は、アドレス帳記憶部１０４のアドレス帳情報３００に、取得したＩＤ「２」、メールＮｏ．「１」に対応するメールアドレスがあるかを確認する（ステップＳ２３）。メールＮｏ．「１」に対応するメールアドレスは第１メールアドレスである。
【００８４】
取得したＩＤ「２」に対応する第１メールアドレスがあるため（ステップ２３：Ｙ）、送信処理部１０７は、アドレス帳記憶部１０４のアドレス帳情報３００から、取得したＩＤ「２」の第１メールアドレス「ｊｉｒｏ＠ｙａｈｘｘ．ｎｅ．ｊｐ」を取得する（ステップＳ２５）。
送信処理部１０７は、雛形メール記憶部１０６から雛形を取得し（ステップＳ２６）、取得したメールアドレス「ｊｉｒｏ＠ｙａｈｘｘ．ｎｅ．ｊｐ」を宛先とし、取得した雛形をメール本文とするメールを作成し、送信する（ステップＳ２７）。
【００８５】
送信処理部１０７は、送付したメールのメールアドレス「ｊｉｒｏ＠ｙａｈｘｘ．ｎｅ．ｊｐ」とメールを送信した旨の情報を表示部１０９に伝達する。送信処理部１０７は、取得したＩＤ「２」、メールＮｏ．「１」、メールの送信日時、例えば「２００６／７／２  １０：０１」を示す情報を受信処理部１１０に伝達する（ステップＳ２８）。
（受信処理部１１０の送信メール情報６００の更新に関する動作）
次に、受信処理部１１０における送信中メール情報６００の更新に関する動作について図７を用いて説明する。
【００８６】
受信処理部１１０は、送信処理部１０７からＩＤ「２」を取得すると（ステップＳ３０：Ｙ）、ＩＤと共に送信処理部１０７から取得した情報を確認する（ステップＳ３１）。
ステップＳ３１において、メールＮｏ．「１」とメールの送信日時を示す情報「２００６／７／２  １０：０１」を取得しているため、受信処理部１１０は、受信処理部１１０に記憶する送信中メール情報６００のＩＤ６０１に、受信したＩＤ「２」と一致するものがあるかを確認する（ステップＳ３２）。
【００８７】
送信中メール情報６００のＩＤ６０１に、受信したＩＤ「２」と一致するものがないため（ステップＳ３２：Ｎ）、受信処理部１１０は、送信中メール情報６００に、取得したＩＤ「２」、メールＮｏ．「１」、メールの送信日時「２００６／７／２  １０：０１」を示す情報を追加し（ステップＳ３４）、処理を終了する。
（受信処理部１１０の配信エラーメールの受信処理に関する動作）
次に、受信処理部１１０における配信エラーメールの受信処理に関する動作について図８を用いて説明する。
【００８８】
受信処理部１１０は、送信中メール情報６００にデータがあるか確認し（ステップＳ４０）、データがあるため（ステップＳ４０：Ｙ）、メールの受信、電話の着信があるか確認する（ステップＳ４１）。
メールの受信があるため（ステップＳ４１：Ｙ）、受信処理部１１０は、送信中メール情報６００のＩＤ６０１に対応するアドレス帳記憶部１０４のアドレス帳情報３００の電話番号３０３、第１メールアドレス３０４、及び、第２メールアドレス３０５のいずれかと、受信したメールのメールアドレス又は着信した電話の電話番号とが一致するかを確認する（ステップＳ４４）。
【００８９】
送信中メール情報６００のＩＤ６０１「２」に対応するアドレス帳記憶部１０４のアドレス帳情報３００の電話番号３０３「０６△△△△２２２２」、第１メールアドレス３０４「ｊｉｒｏ＠ｙａｈｘｘ．ｎｅ．ｊｐ」、及び、第２メールアドレス３０５「ｊｉｒｏ＠ｘｘｍａｉｌ．ｃｏｍ」のいずれとも、受信したメールのメールアドレス「ｐｏｓｔｍａｓｔｅｒ＠ｘｘｐｈｏｎｅ．ｎｅ．ｊｐ」は一致しないため（ステップＳ４４：Ｎ）、受信処理部１１０は、配信エラーメールを受信しているかを確認する（ステップ４７）。
【００９０】
受信処理部１１０は、送信中メール情報６００のＩＤ６０１「２」、メールＮｏ．６０２「１」に対応するメールアドレス「ｊｉｒｏ＠ｙａｈｘｘ．ｎｅ．ｊｐ」をアドレス帳記憶部１０４のアドレス帳情報３００から取得する。
受信したメールには、アドレス帳記憶部１０４のアドレス帳情報３００から取得したメールアドレス「ｊｉｒｏ＠ｙａｈｘｘ．ｎｅ．ｊｐ」と「送信エラー」の文字列が含まれているため（ステップＳ４７：Ｙ）、配信エラーメールと判断する。受信処理部１１０は、取得したＩＤ「２」とメールＮｏ．を１つ増やした「２」を送信処理部１０７に伝達する。
（送信処理部１０７における第２メールアドレスでの送信処理に関する動作）
次に、送信処理部１０７における第２メールアドレスでのメール送信処理に関する動作について図６を用いて説明する。
【００９１】
送信処理部１０７は、受信処理部１１０からＩＤ「２」を取得しているため（ステップＳ２０：Ｙ）、メールＮｏ．を受信処理部１１０から取得しているか確認する（ステップＳ２１）。
メールＮｏ．「２」を受信処理部１１０から取得しているため（ステップＳ２１：Ｙ）、送信処理部１０７は、アドレス帳記憶部１０４のアドレス帳情報３００において、取得したＩＤ「２」及びメールＮｏ．「２」に対応するメールアドレスがあるかを確認する（ステップＳ２３）。メールＮｏ．「２」に対応するメールアドレスは第２メールアドレスである。
【００９２】
取得したＩＤ「２」に対応する第２メールアドレス「ｊｉｒｏ＠ｘｘｍａｉｌ．ｃｏｍ」があるため（ステップ２３：Ｙ）、送信処理部１０７は、アドレス帳記憶部１０４のアドレス帳情報３００から、取得したＩＤ「２」の第２メールアドレス「ｊｉｒｏ＠ｘｘｍａｉｌ．ｃｏｍ」を取得し（ステップＳ２５）、雛形メール記憶部１０６から雛形を取得する（ステップＳ２６）。
【００９３】
送信処理部１０７は、取得したメールアドレス「ｊｉｒｏ＠ｘｘｍａｉｌ．ｃｏｍ」を宛先とし、取得した雛形をメール本文としたメールを作成し、送信する（ステップＳ２７）。
送信処理部１０７は、送付したメールのメールアドレス「ｊｉｒｏ＠ｘｘｍａｉｌ．ｃｏｍ」とメールを送信した旨の情報を表示部１０９に伝達する。
【００９４】
送信処理部１０７は、送信したメールのメールアドレスに対応するＩＤ「２」、メールＮｏ．「２」、メールの送信日時を示す情報、例えば、「２００６／７／１  １０：０３」を受信処理部１１０に伝達する（ステップＳ２８）。
（受信処理部１１０の送信メール情報６００の更新に関する動作）
次に、受信処理部１１０における送信中メール情報６００の更新に関する動作について図７を用いて説明する。
【００９５】
受信処理部１１０は、送信処理部１０７からＩＤ「２」を受信すると（ステップＳ３０：Ｙ）、ＩＤと共に送信処理部１０７から取得した情報を確認する（ステップＳ３１）。
ステップＳ３１において、メールＮｏ．「２」とメールの送信日時「２００６／７／１  １０：０３」を取得しているため、受信処理部１１０は、受信処理部１１０に記憶する送信中メール情報６００のＩＤ６０１に、受信したＩＤ「２」と一致するものがあるかを確認し（ステップＳ３２）、一致するものがあるため（ステップＳ３２：Ｙ）、取得したＩＤ「２」に対応するメールＮｏ．６０２を「２」に、送信日時６０３を「２００６／７／１  １０：０３」に更新し（ステップＳ３３）、処理を終了する。
（受信処理部１１０の受信処理に関する動作）
次に、受信処理部１１０における受信処理に関する動作について図８を用いて説明する。
【００９６】
受信処理部１１０は、送信中メール情報６００にデータがあるか確認し（ステップＳ４０）、データがあるため（ステップＳ４０：Ｙ）、メールの受信、電話の着信があるか確認する（ステップＳ４１）。
メールの受信があるため（ステップＳ４１：Ｙ）、受信処理部１１０は、送信中メール情報６００のＩＤ６０１に対応するアドレス帳記憶部１０４のアドレス帳情報３００の電話番号３０３、第１メールアドレス３０４、及び、第２メールアドレス３０５のいずれかと、受信したメールのメールアドレス又は着信した電話の電話番号とが一致するかを確認する（ステップＳ４４）。
【００９７】
送信中メール情報６００のＩＤ６０１「２」に対応するアドレス帳記憶部１０４のアドレス帳情報３００の第２メールアドレス３０５「ｊｉｒｏ＠ｘｘｍａｉｌ．ｃｏｍ」と、受信したメールのメールアドレス「ｊｉｒｏ＠ｘｘｍａｉｌ．ｃｏｍ」が一致するため、（ステップＳ４４：Ｙ）、受信処理部１１０は、アドレス帳情報３００より受信したメールのメールアドレス「ｊｉｒｏ＠ｘｘｍａｉｌ．ｃｏｍ」に対応するＩＤ３０１「２」を取得する。
【００９８】
受信処理部１１０は、履歴記憶部１０３に、取得したＩＤ「２」に対応する最終通信日時４０２をメールの受信日時「２００６／７／２／１９：１８」に更新させる（ステップＳ４５）。
受信処理部１１０は、取得したＩＤ「２」についての情報を送信中メール情報６００から削除し（ステップＳ４６）、処理を終了する。
≪変形例１≫
＜概要＞
実施形態１に係る経過判定部１０５における経過判定処理は、ユーザによって指定された図２に示すアドレス帳情報３００の通信間隔期間３０６に示す期間と、最終更新日時３０７に示す日時からの経過期間及び図３に示す最終通信履歴情報４００の最終通信日時４０２に示す日時からの経過期間とを比較することにより処理するものである。
【００９９】
変形例１では、ユーザにより指定された通信間隔期間３０６を用いるのではなく、連絡先毎の通信時の履歴から各連絡先についての各通信時の間隔の平均値を算出し、各連絡先についての各通信時の間隔の平均値と最終通信日時が示す日時からの経過期間とを比較することにより、経過判定処理を行うものである。連絡先毎の過去の通信時の履歴を使用するため、連絡先それぞれとの交流の程度を維持することが可能となる。
＜構成＞
変形例１に係る電話機１００の構成は、基本的には、実施形態１と同様であるが、
履歴記憶部１０３において、連絡先毎に最終通信日時のみでなく、最終通信日時を含む５つの通信日時を記憶できる点で異なる。
【０１００】
また、経過判定部１０５において、アドレス帳記憶部１０４に記憶された通信間隔期間を用いないで、経過判定処理する点で異なる。
その他の構成要素については、実施形態１と同様であるため、説明は省略する。
＜データ＞
以下、変形例１に係る電話機１００で使用するデータについて説明する。
【０１０１】
変形例１に係る電話帳１００のアドレス帳情報は、図２におけるアドレス帳情報３００から通信間隔期間３０６を除いたものと同様である。ＩＤ３０１等の各項目の内容は、実施形態１と同様であるため、説明は省略する。
図９は、通信履歴情報のデータ構成と内容例を示す図である。
同図に示すように、履歴記憶部１０３に記憶されている通信履歴情報４１０は、通信相手となる連絡先毎に、ＩＤ４０１、履歴数４１２、第１通信日時４１３、第２通信日時４１４、第３通信日時４１５、第４通信日時４１６、第５通信日時４１７を対応付けて構成されている。
【０１０２】
履歴数４１２は、各連絡先が保持する通信時の履歴の数であって、記憶される値は０から５の数字である。例えば、履歴数４１２が「３」であれば、第１通信日時４１３、第２通信日時４１４、第３通信日時４１５にデータが記憶されていることを示す。
第１通信日時４１３、第２通信日時４１４、第３通信日時４１５、第４通信日時４１６、第５通信日時４１７は、ＩＤ４０１に対応した連絡先の相手との通信日時を示す情報である。第１通信日時４１３、第２通信日時４１４、第３通信日時４１５、第４通信日時４１６、第５通信日時４１７が示す通信日時は、時間の経過順序に従って並べられおり、第１通信日時４１３が示す通信日時が最も新しい通信日時であり、第５通信日時４１７が示す通信日時が最も古い通信日時である。
【０１０３】
なお、ＩＤ４０１は、実施形態１と同様であるため、説明は省略する。
同図は、例えば、アドレス帳情報３００のＩＤ３０１が「１」である相手（佐藤一郎）と行った通信の履歴数は「５」であり、過去に行った通信の日時はそれぞれ「２００６／６／３０  １９：２１」、「２００６／６／１４  １０：１５」、「２００６／６／１  １２：３０」、「２００６／５／２０  １５：１０」、「２００６／５／３  ９：１３」であることを示している。
＜動作＞
変形例１に係る経過判定部１０５における経過判定処理に関する動作について図１０を用いて説明する。なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
【０１０４】
経過判定部１０５は、計時部１０２から現在の日時を示す情報を繰り返し取得し、現在の日時を示す情報が示す時刻とユーザにより指定された経過判定処理を行う時刻「１０：００」が示す時刻とを比較し、一致した場合には（ステップＳ５０：Ｙ）、経過判定部１０５は、計時部１０２から取得した現在の日時を示す情報を、処理を開始した処理開始日時としてメモリに記憶する。
【０１０５】
経過判定部１０５は、ＩＤが１である場合に着目して処理を行う（ステップＳ５１）。経過判定部１０５は、アドレス帳記憶部１０４に記憶されているアドレス帳情報３００のＩＤ３０１に、着目するＩＤと一致するものがあるかを確認する（ステップＳ５２）。着目するＩＤと一致するものがない場合には（ステップＳ５２：Ｎ）、経過判定部１０５は、処理を終了する。着目するＩＤと一致するものがある場合には（ステップＳ５２：Ｙ）、経過判定部１０５は、着目するＩＤに対応する履歴記憶部１０３に記憶された通信履歴情報４１０の履歴数４１２が２以上であるかを確認する（ステップＳ５３）。
【０１０６】
着目するＩＤに対応する履歴数４１２が２以上である場合には（ステップＳ５３：Ｙ）、経過判定部１０５は、合計を０に設定し、履歴Ｎｏ．が１である場合に着目し、処理を行う（ステップＳ５４）。
経過判定部１０５は、着目するＩＤに対応する履歴数４１２が、着目する履歴Ｎｏ．より大きいか確認する（ステップＳ５５）。着目するＩＤに対応する履歴数４１２が、着目する履歴Ｎｏ．より大きい場合は（ステップＳ５５：Ｙ）、経過判定部１０５は、履歴記憶部１０３の通信履歴情報４１０より、着目するＩＤと着目する履歴Ｎｏ．に対応する通信日時を示す情報である通信日時１と、着目するＩＤと履歴Ｎｏ．を１つ増やしたものに対応する通信日時を示す情報である通信日時２を取得する（ステップＳ５６、Ｓ５７）。ここで、履歴Ｎｏ．に対応する通信日時とは、履歴Ｎｏ．が１の場合には、第１通信日時であり、２の場合には、第２通信日時であり、３の場合には、第３通信日時であり、４の場合には、第４通信日時であり、５の場合には、第５通信日時である。
【０１０７】
経過判定部１０５は、取得した通信日時１が示す日時から、取得した通信日時２が示す日時を減じて、２つの通信時の間隔期間を算出し、２つの通信時の間隔期間を合計に加える（ステップＳ５８）。
経過判定部１０５は、履歴Ｎｏ．を１つ増やして着目する履歴Ｎｏ．を変更して（ステップＳ５９）、ステップＳ５５に戻る。
【０１０８】
ステップＳ５５において、着目する履歴Ｎｏ．が履歴数４１２以上になった場合には（ステップＳ５５：Ｎ）、経過判定部１０５は、通信履歴情報４１０より、着目するＩＤについての第１通信日時４１３を取得する（ステップＳ６０）。取得した第１通信日時４１３は、最終通信日時を示す情報である。
経過判定部１０５は、合計を、着目するＩＤに対応する履歴数４１２から１引いたもので割った値を平均に設定する（ステップＳ６１）。経過判定部１０５は、メモリに記憶してある処理開始日時が示す日時から、取得した第１通信日時４１３が示す日時を減じて、最終通信日時からの経過期間を算出し、最終通信日時からの経過期間が、平均より大きいかを確認する（ステップＳ６２）。
【０１０９】
最終通信日時からの経過期間が平均より大きい場合は（ステップＳ６２：Ｙ）、経過判定部１０５は、着目するＩＤを送信処理部１０７に伝達し（ステップＳ６３）、ＩＤを１つ増やし、着目するＩＤを変更して（ステップＳ６４）、ステップＳ５２へ戻る。
ステップＳ６２において、最終通信日時からの経過期間が平均以下である場合は（ステップＳ６２：Ｎ）、経過判定部１０５は、ステップＳ６４に進む。
【０１１０】
ステップＳ５３において、着目するＩＤに対応する履歴数４１２が、２未満であるときは（ステップＳ５３：Ｎ）、経過判定部１０５は、着目するＩＤに対応する履歴数４１２が１であるか確認する（ステップＳ６５）。履歴数４１２が１であるときは（ステップＳ６５：Ｙ）、経過判定部１０５は、着目するＩＤについての第１通信日時４１３を取得する（ステップＳ６６）。取得した第１通信日時４１３は、最終通信日時を示す情報である。
【０１１１】
経過判定部１０５は、メモリに記憶してある処理開始日時が示す日時から、取得した第１通信日時４１３が示す日時を減じて、最終通信日時からの経過期間を算出し、最終通信日時からの経過期間が３１日以上かを確認する（ステップＳ６７）。
最終通信日時からの経過期間が３１日以上であるときは（ステップＳ６７：Ｙ）、経過判定部１０５は、ステップＳ６３に進み、最終通信日時からの経過期間が３１日未満であるときは（ステップＳ６７：Ｎ）、経過判定部１０５は、ステップＳ６４に進む。
【０１１２】
ステップＳ６５において、着目するＩＤに対応する履歴数４１２が１でない場合（ステップＳ６５：Ｎ）、即ち、履歴がない場合には、経過判定部１０５は、アドレス帳記憶部１０４のアドレス帳情報３００から、着目するＩＤに対応する最終更新日時３０７を取得する（ステップＳ６８）。
経過判定部１０５は、メモリに記憶してある処理開始日時が示す日時から、取得した最終更新日時が示す日時を減じて最終更新日時からの経過期間を算出し、最終更新日時からの経過期間が３１日以上かを確認する（ステップＳ６９）。３１日以上である場合には（ステップＳ６９：Ｙ）、経過判定部１０５は、ステップＳ６３に進む。３１日未満である場合には（ステップＳ６９：Ｎ）、経過判定部１０５は、ステップＳ６４に進む。
＜具体的な動作＞
次に、ここまで説明してきた動作を、図２のアドレス帳情報３００の内容例及び図９の通信履歴情報４１０の内容例を用いて、具体的に説明する。
【０１１３】
なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
経過判定部１０５は、計時部１０２から現在の日時を示す情報を繰り返し取得し、現在の日時を示す情報が示す時刻とユーザにより指定された経過判定処理を行う時刻「１０：００」が示す時刻とを比較し、一致した場合には（ステップＳ５０：Ｙ）、経過判定部１０５は、計時部１０２から取得した現在の日時、例えば、「２００６／７／２  １０：００」を示す情報を、処理を開始した処理開始日時としてメモリに記憶する。
【０１１４】
経過判定部１０５は、ＩＤが１である場合に着目して処理を行う（ステップＳ５１）。経過判定部１０５は、アドレス帳記憶部１０４に記憶されているアドレス帳情報３００のＩＤ３０１に、着目するＩＤ「１」と一致するものがあるかを確認する（ステップＳ５２）。着目するＩＤ「１」と一致するものがあるため（ステップＳ５２：Ｙ）、経過判定部１０５は、着目するＩＤ「１」に対応する履歴記憶部１０３に記憶された通信履歴情報４１０の履歴数４１２が２以上であるかを確認する（ステップＳ５３）。
【０１１５】
着目するＩＤ「１」に対応する履歴数４１２は「５」であり、履歴数４１２が２以上であるため（ステップＳ５３：Ｙ）、経過判定部１０５は、合計を０に設定し、履歴Ｎｏ．が１である場合に着目し、処理を行う（ステップＳ５４）。
経過判定部１０５は、着目するＩＤ「１」に対応する履歴数４１２が、着目する履歴Ｎｏ．「１」より大きいか確認する（ステップＳ５５）。
【０１１６】
履歴数４１２は、「５」であり、着目する履歴Ｎｏ．「１」より大きいため（ステップＳ５５：Ｙ）、経過判定部１０５は、履歴記憶部１０３の通信履歴情報４１０より、着目するＩＤ「１」の第１通信日時が示す通信日時１「２００６／６／３０  １９：２１」と、着目するＩＤ「１」の第２通信日時が示す通信日時２「２００６／６／１４  １０：１５」を取得する（ステップＳ５６、Ｓ５７）。第１通信日時は、履歴Ｎｏ．「１」に対応する通信日時であり、第２通信日時は履歴Ｎｏ．を１つ増やした「２」に対応する通信日時である。
【０１１７】
経過判定部１０５は、取得した通信日時１「２００６／６／３０  １９：２１」が示す日時から、取得した通信日時２「２００６／６／１４  １０：１５」が示す日時を減じて、２つの通信時の間隔期間「１６日」を算出し、２つの通信時の間隔期間「１６日」を合計に加え、合計は「１６日」である（ステップＳ５８）。
経過判定部１０５は、履歴Ｎｏ．を１つ増やして着目する履歴Ｎｏ．を変更して（ステップＳ５９）、ステップＳ５５に戻る。経過判定部１０５は、以上の処理を、履歴Ｎｏ．が履歴数４１２「５」より大きくなるまで繰り返す（ステップＳ５５）。その結果、合計は「５６日」になる。
【０１１８】
経過判定部１０５は、通信履歴情報４１０より、着目するＩＤ「１」についての第１通信日時４１３、即ち最終通信日時「２００６／６／３０  １９：２１」を取得する（ステップＳ６０）。
経過判定部１０５は、合計「５６日」を、着目するＩＤ「１」に対応する履歴数４１２から１引いたもの「４」で割ると、「１４日」であり、平均は「１４日」となる（ステップＳ６１）。経過判定部１０５は、メモリに記憶してある処理開始日時「２００６／７／２  １０：００」が示す日時から、取得した第１通信日時４１３「２００６／６／３０  １９：２１」が示す日時を減じて、最終通信日時からの経過期間「１日」を算出し、最終通信日時からの経過期間「１日」が、平均「１４日」より大きいかを確認する（ステップＳ６２）。
【０１１９】
最終通信日時からの経過期間「１日」は、平均「１４日」以下であるため（ステップＳ６２：Ｎ）、経過判定部１０５は、ＩＤを１つ増やし、着目するＩＤを２とし（ステップＳ６４）、ステップＳ５２へ戻る。
経過判定部１０５は、アドレス帳記憶部１０４に記憶されているアドレス帳情報３００のＩＤ３０１に、経過判定部１０５は、着目するＩＤ「２」と一致するものがあるかを確認する（ステップＳ５２）。一致するものがあるため、着目するＩＤ「２」に対応する履歴記憶部１０３に記憶された通信履歴情報４１０の履歴数４１２が２以上であるかを確認する（ステップＳ５３）。
【０１２０】
履歴数４１２は「３」であり、履歴数４１２が２以上であるため（ステップＳ５３：Ｙ）、経過判定部１０５は、合計を０に設定し、履歴Ｎｏ．が１である場合に着目し、処理を行う（ステップＳ５４）。
経過判定部１０５は、着目するＩＤ「２」に対応する履歴数４１２が、着目する履歴Ｎｏ．「１」より大きいか確認する（ステップＳ５５）。
【０１２１】
履歴数４１２は「３」であり、着目する履歴Ｎｏ．「１」より大きいため（ステップＳ５５：Ｙ）、経過判定部１０５は、履歴記憶部１０３の通信履歴情報４１０より、着目するＩＤ「２」の第１通信日時を示す通信日時１「２００６／１／５  ２３：１７」と、着目するＩＤ「１」の第２通信日時を示す通信日時２「２００６／１／４  １０：１１」を取得する（ステップＳ５６、Ｓ５７）。第１通信日時は、履歴Ｎｏ．「１」に対応する通信日時であり、第２通信日時は履歴Ｎｏ．を１つ増やした「２」に対応する通信日時である。
【０１２２】
経過判定部１０５は、取得した通信日時１「２００６／１／５  ２３：１７」が示す日時から、取得した通信日時２「２００６／１／４  １０：１１」が示す日時を減じて、２つの通信時の間隔期間「１日」を算出し、２つの通信時の間隔期間「１日」を合計に加え、合計は「１日」である（ステップＳ５８）。
経過判定部１０５は、履歴Ｎｏ．を１つ増やして着目する履歴Ｎｏ．を変更して（ステップＳ５９）、ステップＳ５５に戻る。経過判定部１０５は、以上の処理を、履歴Ｎｏ．が履歴数４１２「３」より大きくなるまで繰り返す（ステップＳ５５）。その結果、合計は「２日」になる。
【０１２３】
経過判定部１０５は、着目するＩＤ「２」についての第１通信日時４１３、即ち最終通信日時「２００６／１／５  ２３：１７」を取得する（ステップＳ６０）。
経過判定部１０５は、合計「２日」を、着目するＩＤ「２」に対応する履歴数４１２から１引いたもの「２」で割ると、「１日」であり、平均は「１日」となる（ステップＳ６１）。
【０１２４】
経過判定部１０５は、メモリに記憶してある処理開始日時「２００６／７／２  １０：００」が示す日時から、取得した第１通信日時４１３「２００６／１／５  ２３：１７」が示す日時を減じて、最終通信日時からの経過期間「１７７日」を算出し、最終通信日時からの経過期間「１７７日」が、平均「１日」より大きいかを確認する（ステップＳ６２）。
【０１２５】
経過判定部１０５は、最終通信日時からの経過期間「１７７日」が平均「１日」より大きいため（ステップＳ６２：Ｙ）、着目するＩＤ「２」を送信処理部１０７に伝達する（ステップＳ６３）。
経過判定部１０５は、ＩＤを１つ増やし、着目するＩＤを３とし（ステップＳ６４）、ステップＳ５２へ戻る。
【０１２６】
以降、経過判定部１０５は、アドレス帳記憶部１０４に記憶されているアドレス帳情報３００のＩＤ３０１に、着目するＩＤと一致するものがある間、着目するＩＤを変更しながら、ステップＳ５２からステップＳ６４までの処理を繰り返し、着目するＩＤと一致するものがなくなった場合には、処理を終了する（ステップＳ５２：Ｎ）。
≪変形例２≫
＜概要＞
変形例１に係る経過判定部１０５における経過判定処理は、連絡先毎の通信時の履歴から各連絡先についての各通信時の間隔の平均値を算出し、各連絡先についての各通信時の間隔の平均値と最終通信日時が示す日時からの経過期間とを比較することにより処理するものである。従って、連絡先それぞれとの交流の程度を反映した平均値を求めるためには、多くの通信日時を記憶しておくための記憶領域が必要となる。
【０１２７】
変形例２では、最終通信日時が示す日時とその一つ前の通信日時が示す日時から通信間隔期間を算出し、算出した通信間隔期間と最終通信日時が示す日時からの経過期間とを比較することにより、判定処理を行うものである。従って、変形例１の場合よりも、通信日時を記憶しておくための記憶領域を節約することができる。
＜構成＞
変形例２に係る電話機１００の構成は、基本的には、変形例１と同様であるが、履歴記憶部１０３において、連絡先毎に最終更新日時を含む２つの通信日時を記憶する点で異なる。
【０１２８】
その他の構成要素については、変形例１と同様であるため、説明は省略する。
＜データ＞
変形例２に係る電話帳１００のアドレス帳情報は、変形例１と同様であるため、説明は省略する。
また、変形例２に係る通信履歴情報は、図９における通信履歴情報４１０のデータ構成のうち、ＩＤ４０１、履歴数４１２、第１通信日時４１３、第２通信日時４１４を対応付けて構成されている。ＩＤ４０１等の各項目の内容は、変形例１と同様であるため、説明は省略するが、変形例２に係る通信履歴情報は、通信日時として、第１通信日時４１３、第２通信日時４１４の２つの通信日時を記憶するため、履歴数４１２は、最大で２となる。
【０１２９】
同図は、例えば、アドレス帳情報３００のＩＤ３０１が「１」であり相手（佐藤一郎）と行った通信の履歴数は「２」であり、過去に行った通信の日時はそれぞれ「２００６／６／３０  １９：２１」、「２００６／６／１４  １０：１５」であることを示している。
＜動作＞
変形例２に係る経過判定部１０５における経過判定処理に関する動作について図１１を用いて説明する。なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
【０１３０】
経過判定部１０５は、計時部１０２から現在の日時を示す情報を繰り返し取得し、現在の日時を示す情報が示す時刻とユーザにより指定された経過判定処理を行う時刻「毎日１０：００」が示す時刻とを比較し、一致した場合には（ステップＳ７０：Ｙ）、経過判定部１０５は、計時部１０２から取得した現在の日時を示す情報を、処理を開始した処理開始日時としてメモリに記憶する。
【０１３１】
経過判定部１０５は、ＩＤが１である場合に着目して処理を行う（ステップＳ７１）。アドレス帳記憶部１０４に記憶されているアドレス帳情報３００のＩＤ３０１に、着目するＩＤと一致するものがあるかを確認する（ステップＳ７２）。着目するＩＤと一致するものがない場合には（ステップＳ７２：Ｎ）、処理を終了する。
着目するＩＤと一致するものがある場合には（ステップＳ７２：Ｙ）、経過判定部１０５は、着目するＩＤに対応する履歴記憶部１０３に記憶された通信履歴情報４１０の履歴数４１２が２であるかを確認する（ステップＳ７３）。
【０１３２】
履歴数４１２が２である場合には（ステップＳ７３：Ｙ）、履歴記憶部１０３の通信履歴情報４１０より、着目するＩＤに対応する第１通信日時４１３と、第２通信日時４１４を取得する（ステップＳ７４）。取得した第１通信日時４１３は、最終通信日時を示す情報である。
取得した第１通信日時４１３が示す日時から、取得した第２通信日時４１４が示す日時を減じて、２つの通信時の間隔期間を算出し、２つの通信時の間隔期間を通信間隔期間に設定する（ステップＳ７５）。
【０１３３】
メモリに記憶してある処理開始日時が示す日時から、取得した第１通信日時４１３が示す日時を減じて、最終更新日時からの経過期間を算出し、最終更新日時からの経過期間が通信間隔期間より大きいかを確認する（ステップＳ７６）。
最終更新日時からの経過期間が通信間隔期間より大きい場合は（ステップＳ７６：Ｙ）、着目するＩＤを送信処理部１０７に伝達し（ステップＳ７７）、ＩＤを１つ増やし、着目するＩＤを変更して（ステップＳ７８）、ステップＳ７２へ戻る。
【０１３４】
ステップＳ７６において、最終更新日時からの経過期間が通信間隔期間以下である場合は（ステップＳ７６：Ｎ）、ステップＳ７８に進む。
ステップＳ７３において、着目するＩＤに対応する履歴数４１２が２でない場合には（ステップＳ７３：Ｎ）、着目するＩＤに対応する履歴数４１２が１であるか確認する（ステップＳ７９）。履歴数４１２が１であるときは（ステップＳ７９：Ｙ）、着目するＩＤについての第１通信日時４１３を取得する（ステップＳ８０）。取得した第１通信日時４１３は、最終通信日時を示す情報である。
【０１３５】
メモリに記憶してある処理開始日時が示す日時から、取得した第１通信日時４１３が示す日時を減じて、最終更新日時からの経過期間を算出し、最終更新日時からの経過期間が３１日以上かを確認する（ステップＳ８１）。
最終通信日時からの経過期間が３１日以上であるときは（ステップＳ８１：Ｙ）、ステップＳ７７に進み、最終通信日時からの経過期間が３１日未満であるときは（ステップＳ８１：Ｎ）、ステップＳ７８に進む。
【０１３６】
ステップＳ７９において、着目するＩＤに対応する履歴数４１２が１でない場合（ステップＳ７９：Ｎ）、即ち、履歴がない場合には、アドレス帳記憶部１０４のアドレス帳情報３００から、着目するＩＤに対応する最終更新日時３０７を取得する（ステップＳ８２）。
メモリに記憶してある処理開始日時が示す日時から、取得した最終更新日時３０７が示す日時を減じて最終更新日時３０７からの経過期間を算出し、最終更新日時３０７からの経過期間が３１日以上かを確認する（ステップＳ８３）。最終更新日時３０７からの経過期間が３１日以上である場合には（ステップＳ８３：Ｙ）、ステップＳ７７に進む。最終更新日時３０７からの経過期間が３１日未満である場合には（ステップＳ８３：Ｎ）、ステップＳ７８に進む。
＜具体的な動作＞
次に、ここまで説明してきた動作を、図２のアドレス帳情報３００の内容例及び図９の通信履歴情報４１０の内容例を用いて、具体的に説明する。
【０１３７】
なお、初期設定として、操作部１０１は、ユーザにより、定期的に経過判定処理を行う時刻、例えば、「毎日１０：００」と入力されると、「毎日１０：００」を示す情報を経過判定部１０５に伝達し、経過判定部１０５は、「毎日１０：００」を示す情報をメモリに記憶している。
経過判定部１０５は、計時部１０２から現在の日時を示す情報を繰り返し取得し、現在の日時を示す情報が示す時刻とユーザにより指定された経過判定処理を行う時刻「毎日１０：００」が示す時刻とを比較し、一致した場合には（ステップＳ７０：Ｙ）、経過判定部１０５は、計時部１０２から取得した現在の日時、例えば、「２００６／７／２  １０：００」を示す情報を、処理を開始した処理開始日時としてメモリに記憶する。
【０１３８】
経過判定部１０５は、ＩＤが１である場合に着目して処理を行う（ステップＳ７１）。経過判定部１０５は、アドレス帳記憶部１０４に記憶されているアドレス帳情報３００のＩＤ３０１に、着目するＩＤ「１」と一致するものがあるかを確認する（ステップＳ７２）。着目するＩＤ「１」と一致するものがあるため（ステップＳ７２：Ｙ）、経過判定部１０５は、着目するＩＤ「１」に対応する履歴記憶部１０３に記憶された通信履歴情報４１０の履歴数４１２が２であるかを確認する（ステップＳ７３）。
【０１３９】
履歴数４１２は「５」であり、履歴数４１２が２でないため（ステップＳ７３：Ｎ）、経過判定部１０５は、履歴記憶部１０３の通信履歴情報４１０より、着目するＩＤ「１」に対応する第１通信日時４１３、即ち最終通信日時「２００６／６／３０  １９：２１」と第２通信日時４１４「２００６／６／１４  １０：１５」を取得する（ステップＳ７４）。
【０１４０】
経過判定部１０５は、取得した第１通信日時４１３「２００６／６／３０  １９：２１」が示す日時から、取得した第２通信日時４１４「２００６／６／１４  １０：１５」が示す日時を減じて２つの通信時の間隔期間「１６日」を算出し、２つの通信時の間隔期間「１６日」を通信間隔期間に設定する（ステップＳ７５）。
経過判定部１０５は、メモリに記憶してある処理開始日時「２００６／７／２  １０：００」が示す日時から、取得した第１通信日時４１３「２００６／６／３０  １９：２１」が示す日時を減じて、最終通信日時からの経過期間「１日」を算出し、最終通信日時からの経過期間が通信間隔期間より大きいかを確認する（ステップＳ７６）。
【０１４１】
経過判定部１０５は、最終通信日時からの経過期間「１日」が通信間隔期間「１６日」以下であるため（ステップＳ７６：Ｎ）、ＩＤを１つ増やし、着目するＩＤを２とし（ステップＳ７８）、ステップＳ７２へ戻る。
以降、経過判定部１０５は、アドレス帳記憶部１０４に記憶されているアドレス帳情報３００のＩＤ３０１に、着目するＩＤと一致するものがある間、着目するＩＤを変更しながら、ステップＳ７２からステップＳ７８までの処理を繰り返し、着目するＩＤと一致するものがなくなった場合には、処理を終了する（ステップＳ７２：Ｎ）。
≪実施形態２≫
＜概要＞
実施形態２に係る電話機２００は、実施形態１にかかる電話機１００と同様、アドレス帳から通信相手となる連絡先を選択してメールを送信すること又は通話をすることが可能な携帯電話機であって、従来の携帯電話機を改良したものである。
【０１４２】
また、この電話機２００は、電話機１００と同様に、メールの送受信又は電話の発着信による通信が行われると、各連絡先との直近の通信日時を示す情報である最終通信日時を記憶する機構を有する。
電話機２００は、ユーザにより処理を開始する旨の操作がなされると、最終通信履歴情報に記憶されている各連絡先についての最終通信日時が示す日時からの経過期間を算出し、最終通信日時が示す日時からの経過期間が、「９０日以上」、「６０日以上９０日未満」、「３０日以上６０日未満」、「３０日未満」、「最終通信日時なし」のいずれの分類条件に該当するのかを判別する分類処理を行い、処理結果を格納する。
【０１４３】
電話機２００は、全ての連絡先について分類処理が完了すると、１つの分類条件及びその分類条件に該当すると判別された全ての連絡先についての氏名を表示し（以下、「分類結果の表示」という）、ユーザにより一括削除を指示する操作がなされると、表示中の各連絡先についての情報をアドレス帳情報から削除する。
これにより、１つの分類条件に該当すると判別された全ての連絡先を一括して削除できるため、連絡先の削除に要するユーザの負担を軽減することが可能となる。
【０１４４】
また、分類結果の表示がなされている場合に、ユーザにより他の分類を表示する旨の操作がなされると、表示中の分類条件とは異なる他の１つの分類条件及びその分類条件に該当すると判別された全ての連絡先についての氏名を表示する。
＜構成＞
以下、実施形態２に係る電話機２００の構成について説明する。
【０１４５】
図１２は、実施形態２に係る電話機２００の構成図である。
電話機２００は、同図に示すとおり、操作部２０１、計時部２０２、履歴記憶部２０３、アドレス帳記憶部２０４、分類条件保持部２０５、分類処理部２０６、分類結果格納部２０７、表示部２０８、送信処理部２０９、通信部２１０、受信処理部２１１を備える。
なお、電話機２００は、図示していないが、ＣＰＵ及びメモリを備え、分類処理部２０６、送信処理部２０９、受信処理部２１１の各機能は、メモリに記憶されているプログラムをＣＰＵに実行させることにより実現される。
【０１４６】
また、電話機２００は、従来の携帯電話機を改良したものであり、図１２は、本発明に関係のある機能についてのみ示している。本発明に関係のないその他の機能については、従来の携帯電話機と同様であるため、説明は省略する。
ここで、操作部２０１は、いわゆるテンキー等のキー群やボタン群を含むものであり、ボタン群には、分類処理開始ボタンを有し、ユーザにより分類開始ボタンが押下されると、分類処理を開始する旨の情報を分類処理部２０６に伝達する。
【０１４７】
また、分類結果の表示がなされている場合に、ユーザにより、キー群の「１」〜「３」のいずれかが押下されると、押下されたキーに応じた情報を分類処理部２０６に伝達する。
計時部２０２は、いわゆる時計であり、現在の日時を計時して、現在の日時を示す情報を履歴記憶部２０３、分類処理部２０６へ伝達する回路である。
【０１４８】
履歴記憶部２０３は、連絡先を識別するＩＤ、最終通信日時から構成される、後述する最終通信時情報を記憶する不揮発性のメモリである。履歴記憶部２０３は、送信処理部２０９、受信処理部２１１から、連絡先を識別するＩＤを取得すると、計時部２０２より現在の日時を示す情報を取得し、ＩＤと対応付けて、現在の日時を示す情報を最終通信日時として記憶する。
【０１４９】
アドレス帳記憶部２０４は、連絡先を識別するＩＤ、氏名、電話番号、メールアドレスから構成される、後述するアドレス帳情報を記憶する不揮発性のメモリであって、従来から携帯電話機に備えられているものである。
分類条件保持部２０５は、後述する分類処理部２０６が分類処理を行う際の、最終更新日時からの経過期間を分類する条件を示す情報を記憶する不揮発性のメモリである。分類条件には、「９０日以上」、「６０日以上９０日未満」、「３０日以上６０日未満」、「３０日未満」、「最終通信日時なし」がある。
【０１５０】
分類処理部２０６は、履歴記憶部２０３に記憶されている最終通信履歴情報を用いて、連絡先毎に最終通信日時からの経過期間を算出し、算出した最終通信日時からの経過期間が、分類条件保持部２０５に記憶されている条件のいずれに該当するかを判別する分類処理を行い、分類結果を示す情報を分類結果格納部２０７に伝達する機能を有する。
また、全ての連絡先について分類処理が完了すると、表示部１０９に分類結果の表示を行わせ、分類結果の表示がなされているときに、ユーザにより押下されたキーに応じた情報を操作部２０１から取得すると、表示中の分類条件に該当する全ての連絡先をアドレス帳情報から削除し、又は、別の分類条件に該当する連絡先の表示を行い、又は、処理を終了する機能を有する。
【０１５１】
分類結果格納部２０７は、分類処理部２０６から伝達された各連絡先についての分類結果を示す情報を記憶する不揮発性のメモリである。
表示部２０８は、液晶ディスプレイ（ＬＣＤ：Liquid Crystal Display）を含み、分類処理部２０６からの指示を受けて、分類結果の表示を行う機能を有する。
送信処理部２０９は、通信部２１０を通じて、メールの送信又は電話の発信の制御を行う機能を有し、また、メールの送信又は電話の発信を行うと、送信したメールのメールアドレス又は発信した電話の電話番号に対応する連絡先のＩＤをアドレス帳情報より取得し、履歴記憶部２０３に伝達する機能を有する。なお、メールの送信又は電話の発信を行う機能は、従来から携帯電話機に備えられている機能と同様のものである。
【０１５２】
通信部２１０は、従来から携帯電話機に備えられているメールの送受信、音声の送受信を行う回路である。
受信処理部２１１は、通信部２１０を通じて、メールの受信又は電話の着信の制御を行う機能を有し、また、メールの受信又は電話の着信があると、受信したメールのメールアドレス又は着信した電話の電話番号に対応する連絡先のＩＤをアドレス帳情報より取得し、履歴記憶部２０３に伝達する機能を有する。なお、メールの受信又は電話の着信を行う機能は、従来から携帯電話機に備えられている機能と同様のものである。
＜データ＞
以下、実施形態２に係る電話機２００で使用するデータについて説明する。
【０１５３】
図１３は、アドレス帳情報のデータ構成と内容例を示す図である。
同図に示すように、アドレス帳記憶部２０４に記憶されているアドレス帳情報３１０は、通信相手となる連絡先毎に、ＩＤ３０１、氏名３０２、電話番号３０３、メールアドレス３０４を対応付けて構成されている。
ＩＤ３０１、氏名３０２、電話番号３０３、メールアドレス３０４については、実施形態１におけるアドレス帳情報３００と同様であるため、説明は省略する。なお、実施形態１のアドレス帳情報３００では、連絡先毎に複数存在するメールアドレスを区別するため第１メールアドレス３０４としているが、実施形態２では、各連絡先は１つのみのメールアドレスを持つため、名称をメールアドレス３０４に変更している。
【０１５４】
同図は、例えば、管理上割り当てられた番号が「１」の「佐藤一郎」という人が所有する電話機の電話番号が「０９０△△△△１１１１」であり、所有するメールアドレスが「ｉｃｈｉｒｏ＠ｅｚｘｘ．ｎｅ．ｊｐ」であることを示している。
図１４は、最終通信履歴情報のデータ構成と内容例を示す図である。
同図に示すように、履歴記憶部２０３に記憶されている最終通信履歴情報４２０は、連絡先毎に、ＩＤ４０１、最終通信日時４０２を対応付けて構成されている。
【０１５５】
ＩＤ４０１、最終通信日時４０２については、実施形態１の最終通信履歴情報４００と同様であるため、説明は省略する。
同図は、例えば、アドレス帳情報３１０のＩＤ３０１が「１」である連絡先（佐藤一郎）との直近の通信日時が示す日時は、「２００６／６／３０  １９：２１」であることを示している。
【０１５６】
図１５は、分類結果情報のデータ構成と内容を示す図である。
同図に示すように、分類結果格納部２０７に記憶されている分類結果情報５１０は、ＩＤ５１１と分類区分５１２とを対応付けて構成されている。
ＩＤ５１１は、図１３に示すアドレス帳情報３１０のＩＤ３０１と対応する番号である。
【０１５７】
分類区分５１２は、ＩＤ５１１に対応する連絡先についての最終通信日時からの経過時間がいずれの分類条件に該当するかを示す番号であって、１の場合は、経過期間が９０日以上であること、２の場合は、経過期間が６０日以上９０日未満であること、３の場合は、経過期間が３０日以上６０日未満であること、４の場合は、経過期間が３０日未満であること、５の場合は、最終通信日時が記憶されていないことを示す。
＜動作＞
以下、上記構成を備え、上述したデータを取り扱う電話機２００の動作を、図１６を用いて説明する。
【０１５８】
操作部２０１は、ユーザにより、分類処理開始ボタンが押下されると（ステップＳ９０：Ｙ）、分類処理を開始する旨の情報を分類処理部２０６に伝達する。
分類処理部２０６は、操作部２０１より分類処理を開始する旨の情報を取得すると、計時部２０２から現在の日時を示す情報を取得し、処理を開始した処理開始日時としてメモリに記憶する。
【０１５９】
分類処理部２０６は、アドレス帳記憶部２０４に記憶されているアドレス帳情報３１０に連絡先が記憶されているか確認する（ステップＳ９１）。即ち、アドレス帳情報３１０のＩＤ３０１が「１」の場合に対応する氏名３０２、電話番号３０３、メールアドレス３０４が存在するかを確認する。
ステップＳ９１において、アドレス帳記憶部２０４のアドレス帳情報３１０に連絡先が１件も記憶されていない場合には（ステップＳ９１：Ｎ）、分類処理部２０６は、処理を終了し、アドレス帳記憶部２０４のアドレス帳情報３１０に連絡先が記憶されていた場合には（ステップＳ９１：Ｙ）、分類処理部２０６は、ＩＤが１である場合に着目して処理を行う（ステップＳ９２）。
【０１６０】
分類処理部２０６は、アドレス帳記憶部２０４に記憶されているアドレス帳情報３１０のＩＤ３０１に、着目するＩＤと一致するものがあるかを確認する（ステップＳ９３）。
着目するＩＤと一致するものがある場合には（ステップＳ９３：Ｙ）、分類処理部２０６は、履歴記憶部２０３に記憶されている最終通信履歴情報４２０に、着目するＩＤに対応する最終通信日時４０２があるかを確認する（ステップＳ９４）。
【０１６１】
着目するＩＤに対応する最終通信日時４０２がある場合には（ステップＳ９４：Ｙ）、分類処理部２０６は、履歴記憶部２０３の最終通信履歴情報４２０から、着目するＩＤに対応する最終通信日時４０２を取得する（ステップＳ９５）。
分類処理部２０６は、メモリに記憶してある処理開始日時が示す日時から、取得した最終通信日時４０２が示す日時を減じて、最終通信日時からの経過期間を算出し、最終通信日時４０２からの経過期間が、９０日以上の場合は、分類区分を「１」とし、６０日以上９０日未満の場合は、分類区分を「２」とし、３０日以上６０日未満の場合は、分類区分を「３」とし、３０日未満の場合は、分類区分を「４」とする。
【０１６２】
分類処理部２０６は、分類結果格納部２０７に記憶されている分類結果情報５１０に着目するＩＤと分類区分とを格納する（ステップＳ９６）。
分類処理部２０６は、ＩＤを１つ増やし、着目するＩＤを変更し（ステップＳ９７）、ステップＳ９３へ戻る。
ステップＳ９４において、履歴記憶部２０３の最終通信履歴情報４２０に着目するＩＤに対応する最終通信日時４０２がない場合には（ステップＳ９４：Ｎ）、分類処理部２０６は、分類結果格納部２０７の分類結果情報５１０に着目するＩＤと分類区分「５」を格納し（ステップＳ９８）、ステップＳ９７へ進む。
【０１６３】
ステップＳ９３において、アドレス帳記憶部２０４のアドレス帳情報３１０のＩＤ３０１に、着目するＩＤと一致するものがない場合には（ステップＳ９３：Ｎ）、分類処理部２０６は、分類が１である場合に着目して処理を行う（ステップＳ９９）。
分類処理部２０６は、分類結果格納部２０７の分類結果情報５１０の分類区分５１２の中に、着目する分類と一致するものがあるかを確認する（ステップＳ１００）。
【０１６４】
分類結果情報５１０の分類区分５１２の中に、着目する分類と一致するものがある場合には（ステップ１００：Ｙ）、分類処理部２０６は、着目する分類と一致する分類区分５１２に対応するＩＤ５１１を全て取得する。
分類処理部２０６は、アドレス帳記憶部２０４のアドレス帳情報３１０から、取得したＩＤ５１１に対応する氏名３０２を全て取得し、取得した全ての氏名３０２と着目する分類に対応する分類条件を示す情報を表示部２０８に伝達する。
【０１６５】
着目する分類に対応する分類条件を示す情報は、分類が１の場合は「９０日以上」、分類が２の場合は「６０日以上９０日未満」、分類が３の場合は「３０日以上６０日未満」、分類が４の場合は「３０日未満」、分類が５の場合は「最終通信履歴情報なし」である。
表示部２０８は、取得した分類条件を示す情報を図１７の領域５０１に表示し、取得した氏名３０２を領域５０２に表示する（ステップＳ１０１）。また、表示部２０８は、領域５０３に「１⇒一括削除」、「２⇒次へ」、「３⇒終了」の３つのメニューを表示させる。
【０１６６】
操作部２０１は、ユーザにより、キー群の「１」が押下された場合には「一括削除」が選択された旨の情報を、「２」が押下された場合には「次へ」が選択された旨の情報を、「３」が押下された場合には「終了」が選択された旨の情報を分類処理部２０６に伝達する（ステップＳ１０２）。
ステップＳ１０２において、分類処理部２０６は、「次へ」が選択された旨の情報を取得した場合には、分類を１つ増やし、着目する分類を変更する（ステップＳ１０３）。分類処理部２０６は、分類が６かどうかを確認し（ステップＳ１０４）、分類が６の場合には（ステップＳ１０４：Ｙ）、ステップＳ９９に戻り、分類が６でない場合には（ステップＳ１０４：Ｎ）、ステップＳ１００に戻る。
【０１６７】
ステップＳ１０２において、分類処理部２０６は、「一括削除」が選択された旨の情報を取得した場合、着目する分類と一致する分類結果情報５１０の分類区分５１２に対応するＩＤ５１１を取得し、アドレス帳記憶部２０４のアドレス帳情報３１０から、取得したＩＤ５１１に対応する連絡先についての情報を削除し（ステップＳ１０５）、処理を終了する。
【０１６８】
ステップＳ１０２において、分類処理部２０６は、「終了」が選択された旨の情報を取得した場合には、処理を終了する。
ステップＳ１００において、分類結果情報５１０の分類区分５１２の中に、着目する分類と一致するものがない場合には（ステップＳ１００：Ｎ）、ステップＳ１０３に進む。
＜具体的な動作＞
次に、ここまで説明してきた分類処理部２０６の分類処理に関する動作を、図１３のアドレス帳情報３１０の内容例及び図１４の最終通信履歴情報４２０の内容例を用いて、具体的に説明する。
【０１６９】
なお、以下では、ユーザが、分類結果の表示において、最終通信日時４０２が示す日時から９０日以上経過している各連絡先が表示されている画面で、操作部２０１のキー群より「１」を押下した場合を想定する。
操作部２０１は、ユーザにより、分類処理開始ボタンが押下されると（ステップＳ９０：Ｙ）、分類処理を開始する旨の情報を分類処理部２０６に伝達する。
【０１７０】
分類処理部２０６は、操作部２０１より分類処理を開始する旨の情報を取得すると、計時部２０２から現在の日時、例えば、「２００６／７／２  １０：００」を示す情報を取得し、処理を開始した処理開始日時としてメモリに記憶する。
分類処理部２０６は、アドレス帳記憶部２０４に記憶されているアドレス帳情報３１０に連絡先が記憶されているか確認する（ステップＳ９１）。即ち、アドレス帳情報３１０のＩＤ３０１「１」の場合に対応する氏名３０２、電話番号３０３、メールアドレス３０４が存在するかを確認する。
【０１７１】
アドレス帳記憶部２０４のアドレス帳情報３１０に連絡先が記憶されているため（ステップＳ９１：Ｙ）、分類処理部２０６は、ＩＤが１である場合に着目して処理を行う（ステップＳ９２）。
分類処理部２０６は、アドレス帳記憶部２０４に記憶されているアドレス帳情報３１０のＩＤ３０１に、着目するＩＤ「１」と一致するものがあるかを確認する（ステップＳ９３）。
【０１７２】
着目するＩＤ「１」と一致するものがあるため（ステップＳ９３：Ｙ）、分類処理部２０６は、履歴記憶部２０３に記憶されている最終通信履歴情報４２０に、着目するＩＤ「１」に対応する最終通信日時４０２があるかを確認する（ステップＳ９４）。
着目するＩＤ「１」に対応する最終通信日時４０２があるため（ステップＳ９４：Ｙ）、分類処理部２０６は、履歴記憶部２０３の最終通信履歴情報４２０から、着目するＩＤ「１」に対応する最終通信日時４０２「２００６／６／３０  １９：２１」を取得する（ステップＳ９５）。
【０１７３】
分類処理部２０６は、メモリに記憶してある処理開始日時「２００６／７／２  １０：００」が示す日時から、取得した最終通信日時４０２「２００６／６／３０  １９：２１」が示す日時を減じて、最終通信日時４０２からの経過期間「１日」を算出し、最終通信日時４０２からの経過期間が、「３０日未満」であるため、分類区分を「４」とする。
分類処理部２０６は、分類結果格納部２０７に記憶されている分類結果情報５１０に着目するＩＤ「１」と分類区分「４」とを格納する（ステップＳ９６）。
【０１７４】
分類処理部２０６は、ＩＤを１つ増やし、着目するＩＤを「２」に変更し（ステップＳ９７）、ステップＳ９３へ戻る。
分類処理部２０６は、ＩＤが「２」である場合に着目して処理を行う。
分類処理部２０６は、アドレス帳記憶部２０４に記憶されているアドレス帳情報３１０のＩＤ３０１に、着目するＩＤ「２」と一致するものがあるかを確認する（ステップＳ９３）。
【０１７５】
着目するＩＤ「２」と一致するものがあるため（ステップＳ９３：Ｙ）、分類処理部２０６は、履歴記憶部２０３に記憶されている最終通信履歴情報４２０に、着目するＩＤ「２」に対応する最終通信日時４０２があるかを確認する（ステップＳ９４）。
着目するＩＤ「２」に対応する最終通信日時４０２があるため（ステップＳ９４：Ｙ）、分類処理部２０６は、履歴記憶部２０３の最終通信履歴情報４２０から、着目するＩＤ「２」に対応する最終通信日時４０２「２００６／１／５  ２３：１７」を取得する（ステップＳ９５）。
【０１７６】
分類処理部２０６は、メモリに記憶してある処理開始日時「２００６／７／２  １０：００」が示す日時から、取得した最終通信日時４０２「２００６／１／５  ２３：１７」が示す日時を減じて、最終通信日時４０２からの経過期間「１７７日」を算出し、最終通信日時４０２からの経過期間が、「９０日以上」であるため、分類区分を「１」とする。
分類処理部２０６は、分類結果格納部２０７に記憶されている分類結果情報５１０に着目するＩＤ「２」と分類区分「１」とを格納する（ステップＳ９６）。
【０１７７】
分類処理部２０６は、ＩＤを１つ増やし、着目するＩＤを「３」に変更し（ステップＳ９７）、ステップＳ９３へ戻る。
分類処理部２０６は、ＩＤが「３」である場合に着目して処理を行う。
分類処理部２０６は、アドレス帳記憶部２０４に記憶されているアドレス帳情報３１０のＩＤ３０１に、着目するＩＤ「３」と一致するものがあるかを確認する（ステップＳ９３）。
【０１７８】
着目するＩＤ「３」と一致するものがあるため（ステップＳ９３：Ｙ）、分類処理部２０６は、履歴記憶部２０３に記憶されている最終通信履歴情報４２０に、着目するＩＤ「３」に対応する最終通信日時４０２があるかを確認する（ステップＳ９４）。
着目するＩＤ「３」に対応する最終通信日時４０２があるため（ステップＳ９４：Ｙ）、分類処理部２０６は、履歴記憶部２０３の最終通信履歴情報４２０から、着目するＩＤ「３」に対応する最終通信日時４０２「２００６／４／２５  １０：０１」を取得する（ステップＳ９５）。
【０１７９】
分類処理部２０６は、メモリに記憶してある処理開始日時「２００６／７／２  １０：００」が示す日時から、取得した最終通信日時４０２「２００６／４／２５  １０：０１」が示す日時を減じて、最終通信日時４０２からの経過期間「６７日」を算出し、最終通信日時４０２からの経過期間が、「６０日以上９０日未満」であるため、分類区分を「２」とする。
【０１８０】
分類処理部２０６は、分類結果格納部２０７に記憶されている分類結果情報５１０に着目するＩＤ「３」と分類区分「２」とを格納する（ステップＳ９６）。
分類処理部２０６は、ＩＤを１つ増やし、着目するＩＤを「４」に変更し（ステップＳ９７）、ステップＳ９３へ戻る。
分類処理部２０６は、ＩＤが「４」である場合に着目して処理を行う。
【０１８１】
分類処理部２０６は、アドレス帳記憶部２０４に記憶されているアドレス帳情報３１０のＩＤ３０１に、着目するＩＤ「４」と一致するものがあるかを確認する（ステップＳ９３）。
着目するＩＤ「４」と一致するものがあるため（ステップＳ９３：Ｙ）、分類処理部２０６は、履歴記憶部２０３に記憶されている最終通信履歴情報４２０に、着目するＩＤ「４」に対応する最終通信日時４０２があるかを確認する（ステップＳ９４）。
【０１８２】
履歴記憶部２０３の最終通信履歴情報４２０に着目するＩＤに対応する最終通信日時４０２がないため（ステップＳ９４：Ｎ）、分類処理部２０６は、分類結果格納部２０７の分類結果情報５１０に着目するＩＤ「４」と分類区分「５」を格納し（ステップＳ９８）、ステップＳ９７へ進む。
分類処理部２０６は、ＩＤを１つ増やし、着目するＩＤを「５」に変更し（ステップＳ９７）、ステップＳ９３へ戻る。
【０１８３】
以降、ステップＳ９３からステップ９７の処理をアドレス帳記憶部２０４のアドレス帳情報３１０のＩＤ３０１に、着目するＩＤと一致するものがある間、着目するＩＤを変更しながら処理を行い、着目するＩＤと一致するものなくなったら処理を終了する（ステップＳ９３：Ｎ）。
分類処理部２０６は、分類が１である場合に着目して処理を行う（ステップＳ９９）。
【０１８４】
分類処理部２０６は、分類結果格納部２０７の分類結果情報５１０の分類区分５１２の中に、着目する分類「１」と一致するものがあるかを確認する（ステップＳ１００）。
分類結果情報５１０の分類区分５１２の中に、着目する分類「１」と一致するものがあるため（ステップ１００：Ｙ）、分類処理部２０６は、着目する分類「１」と一致する全ての分類区分５１２に対応するＩＤ５１１「２」、「５」、「７」等を取得する。
【０１８５】
分類処理部２０６は、アドレス帳記憶部２０４のアドレス帳情報３１０から、取得したＩＤ５１１「２」、「５」、「７」等に対応する全ての氏名３０２「鈴本  二郎」、「中村  五郎」、「山木  七郎」等を取得し、取得した全ての氏名３０２「鈴本  二郎」、「中村  五郎」、「山木  七郎」等と着目する分類「１」に対応する分類条件を示す情報「９０日以上」を表示部２０８に伝達する。
【０１８６】
表示部２０８は、取得した分類条件を示す情報「９０日以上」を図１７の領域５０１に表示し、取得した氏名３０２「鈴本  二郎」、「中村  五郎」、「山木  七郎」等を領域５０２に表示する（ステップＳ１０１）。また、表示部２０８は、領域５０３に「１⇒一括削除」、「２⇒次へ」、「３⇒終了」の３つのメニューを表示させる。
操作部２０１は、ユーザにより、キー群の「１」が押下されたため「一括削除」が選択された旨の情報を、分類処理部２０６に伝達する（ステップＳ１０２）。
【０１８７】
分類処理部２０６は、「一括削除」が選択された旨の情報を取得したため、着目する分類「１」と一致する分類結果情報５１０の分類区分５１２に対応するＩＤ５１１「２」、「５」、「７」等を取得し、アドレス帳記憶部２０４のアドレス帳情報３１０から、取得したＩＤ５１１「２」、「５」、「７」等に対応する連絡先についての情報を削除し（ステップＳ１０５）、処理を終了する。
＜補足＞
以上、本発明に係る電話機について実施形態に基づいて説明したが、以下のように変形することも可能であり、本発明は上述した実施形態で示した通りの電話機に限られないことは勿論である。
（１）実施形態１、変形例１及び変形例２では、経過判定部１０５が、アドレス帳情報３００、３１０に記憶されている全ての連絡先について、経過判定処理を行うこととしているが、経過判定処理を行わない連絡先を設定できるようにしてもよい。これにより、連絡先が病院、お店、会社である場合など、交流を図る対象ではない場合に、経過判定処理を行わないようにできるため、メール送信料の軽減を図ることができる。なお、経過判定処理を行わない連絡先を設定する方法としては、アドレス帳記憶部１０４のアドレス帳情報に、連絡先毎に経過判定処理を行うか否かを示す情報を記憶できるようにすることが考えられる。
（２）実施形態１、変形例１及び変形例２では、初期設定として、ユーザは定期的に経過判定処理を行う時刻を指定するとしているが、ユーザが操作部１０１から所定の操作をしたときに、経過判定処理を行うこととしてもよい。
（３）実施形態１では、経過判定部１０５が、経過判定処理において、通信間隔期間以上連絡を取っていないと判定された各連絡先に対して、送信処理部１０７が、それぞれメールを作成し、送信するとしているが、通信間隔期間以上連絡を取っていないと判定された各連絡先を宛先とした同報メールを送ることとしてもよい。
（４）実施形態１では、送信処理部１０７が、メールを作成した後、すぐに送信することとしているが、メール作成後、一旦、メールを保存し、ユーザが操作部１０１から所定の操作を行った場合に、送信することとしてもよい。さらに、この際、ユーザにパスワードを入力させ、認証が成功した場合に、メールを送信することとしてもよい。これにより、ユーザ本人がメール送信処理を行ったことを確認することができ、安否確認等に利用できる。
（５）実施形態１では、第１メールアドレス、第２メールアドレスのいずれを宛先としてメールを送付しても、配信エラーメールを受信した場合には、送信エラーになった旨の表示を行うこととしているが、電話をかけるか確認する表示を行い、ユーザが、電話をかけるか確認する表示に対して、電話をかける旨の操作を操作部１０１から行った場合には、その第１メールアドレス、第２メールアドレスを含む連絡先についての電話番号に電話をかけることとしてもよい。
（６）実施形態１では、配信エラーメールを受信しているかを判断する際の所定の文字列として「送信エラー」、「Ｕｓｅｒ  ｕｎｋｎｏｗｎ」を例示しているが、その他として、「配信エラー」、「配信不能」、「到達不能」、「Ｈｏｓｔ ｎｏｔ ｆｏｕｎｄ」、「Ｎｏ ｓｕｃｈ ｕｓｅｒ」などの例も挙げられる。また、ここに例示する文字列に限られず、宛先であるメールアドレスが存在しない場合に、メールサーバが送信元のメールアドレスに返すメールの本文に含まれる文字列であればよい。
（８）実施形態１では、送信処理部１０７は、雛形メール記憶部１０６に予め記憶された雛形を本文とするメールを作成することとしたが、メール本文に、メールの宛先である相手の氏名や最後に連絡を取ってからの大体の期間を埋め込めるようにしてもよい。これにより、連絡先となる相手との情報が含まれているため、メールを受信した相手に対し、自動的に作成、送信されたメールである印象を和らげることができる。
【０１８８】
例えば、第１の雛形には、「さんへ  最後にご連絡してから」を記憶し、第２の雛形には、「程立っていますが、お元気ですか？」を記憶しておく。また、アドレス帳記憶部１０４のアドレス帳情報３００から、該当の連絡先についての氏名３０２を取得しておく。また、履歴記憶部１０３が記憶する最終通信履歴情報４００から、該当の連絡先に対応する最終通信日時４０２を取得し、最終通信日時４０２からの経過期間を算出して３０で割り、四捨五入した値を、最後に連絡を取ってからの大体の期間を示す情報として記憶しておく。
【０１８９】
そして、取得した氏名３０２、第１の雛形に示す文字データ、最後に連絡を取ってからの大体の期間を示す情報、第２の雛形に示す文字データの順で結合させた文字データをメール本文とすれば、メール本文に相手の氏名や最後に連絡を取ってからの大体の期間を埋め込んだメールを作成することができる。
具体例として、アドレス帳情報３００におけるＩＤ２の相手にメールを送信する場合には、「鈴本二郎さんへ  最後にご連絡してから６ヶ月程立っていますが、お元気ですか？」といったメール本文を作成することができる。
【０１９０】
さらに、アドレス帳記憶部１０４のアドレス帳情報３００に、各連絡先の相手のニックネームを記憶できるようにし、上記の例における「鈴本二郎さん」の部分を鈴本二郎のニックネームである「鈴さん」と変えることができ、メール本文に普段使用しているニックネームが含まれていることから、さらにメールを受信した相手に対し、自動的に作成、送信されたメールである印象を和らげることができる。
（９）実施形態１のアドレス帳情報３００では、第1メールアドレスと第２メールアドレスの２個のメールアドレスを記憶できるとしているが、メールアドレスの記憶のために確保できる記憶領域の大きさに応じ、例えば、１０個記憶できることとしてもよい。
（１０）変形例1の通信履歴情報４１０は、５個の通信日時を示す情報を記憶できるとしているが、通信日時を示す情報の記憶のために確保できる記憶領域の大きさに応じ、例えば、１０個の通信日時を示す情報を記録できることとしてもよい。
（１１）変形例１の経過判定部１０５は、各連絡先についての各通信時の間隔の平均値（単純平均値）と最終通信日時が示す日時からの経過期間とを比較することにより、経過判定処理を行うこととしているが、加重平均値に任意の係数をかけた値である通信間隔期間と最終通信日時が示す日時からの経過期間とを比較することにより経過判定処理を行うこととしてもよい。
【０１９１】
各連絡先についての通信間隔期間は、例えば、以下の算出式により求めることができる。
ｋ×（ａ×Ｌ１＋ｂ×Ｌ２＋ｃ×Ｌ３＋ｄ×Ｌ４）／（ａ＋ｂ＋ｃ＋ｄ）
ａ、ｂ、ｃ、ｄ、ｋ：任意の係数
Ｌ１：第1通信日時が示す通信日時−第２通信日時が示す通信日時
Ｌ２：第２通信日時が示す通信日時−第３通信日時が示す通信日時
Ｌ３：第３通信日時が示す通信日時−第４通信日時が示す通信日時
Ｌ４：第４通信日時が示す通信日時−第５通信日時が示す通信日時
係数ａ、ｂ、ｃ、ｄ、ｋは、予め設定されていても、ユーザが任意に設定できることとしてもよい。
【０１９２】
上記算出式では、直近の通信間隔ほど係数ａ、ｂ、ｃ、ｄを大きくすることによって、連絡先それぞれとの最近の交流の程度を維持することが可能となる。
例えば、ａ＝１．２、ｂ＝１．０、ｃ＝０．８、ｄ＝０．６、ｋ＝１に設定することによって、過去から徐々に連絡を取らなくなった場合、例えば、Ｌ１＝４０、Ｌ２＝３０、Ｌ３＝２０、Ｌ４＝１０の場合には、通信間隔期間は２７．８となる。
【０１９３】
一方、最近頻繁に連絡を取っていた場合、例えば、Ｌ１＝１０、Ｌ２＝２０、Ｌ３＝３０、Ｌ４＝４０の場合には、通信間隔期間は２２．２となる。
このように、過去から徐々に連絡を取らなくなった場合と最近頻繁に連絡を取っていた場合とを比較すると、過去から徐々に連絡を取らなくなった場合のほうが通信間隔期間は大きくなり、通信間隔期間以上連絡を取っていないとの判定がされにくくなる。即ち、過去から徐々に連絡を取っていないという連絡先との最近の交流の程度を維持することができる。
【０１９４】
また、係数ｋを１より大きく設定することにより、例えば、ｋ＝３、ａ＝ｂ＝ｃ＝ｄ＝１とすることによって、各連絡先についての各通信時の間隔の平均値（単純平均値）の３倍以上というこれまでの通信間隔に比べて極端に長い期間連絡を取っていない状況である場合に、各連絡先との交流を図ることができる。
（１２）実施形態１、２及び変形例１、２に係る経過判定処理（図５、１０、１１参照）、メール送信処理（図６参照）、送信中メール情報の更新処理（図７参照）、受信処理（図８参照）、分類処理（図１６参照）を電話機に有するプロセッサ及びそれに接続された各種回路に実行させるためのプログラムコードからなる制御プログラムを、記録媒体に記録し、又は各種通信路等を介して流通させ、頒布させることもできる。このような記録媒体には、ＩＣカード、ハードディスク、光ディスク、フレキシブルディスク、ＲＯＭ等がある。流通、頒布された制御プログラムは、プロセッサに読み出され得るメモリ等に格納されることにより利用に供され、そのプロセッサがその制御プログラムを実行することにより実施形態１、２及び変形例１、２で示したような電話機の各種機能が実現されるようになる。
【産業上の利用可能性】
【０１９５】
本発明に係る電話機は、アドレス帳に登録された各連絡先との連絡を行うために利用されるものである。
【図面の簡単な説明】
【０１９６】
【図１】実施形態１に係る電話機１００の構成図である。
【図２】実施形態１に係る電話機１００のアドレス帳情報のデータ構成と内容例を示す図である。
【図３】実施形態１に係る電話機１００の最終通信履歴情報のデータ構成と内容例を示す図である。
【図４】実施形態１に係る電話機１００の送信中メール情報のデータ構成と内容を示す図である。
【図５】実施形態１に係る電話機１００経過判定処理手順を示すフローチャートである。
【図６】実施形態１に係る電話機１００のメール送信手順を示すフローチャートである。
【図７】実施形態１に係る電話機１００の送信中メール情報の更新手順を示すフローチャートである。
【図８】実施形態１に係る電話機１００の受信処理手順を示すフローチャートである。
【図９】変形例１に係る電話機１００の通信履歴情報のデータ構成と内容例を示す図である。
【図１０】変形例１に係る電話機１００の経過判定処理手順を示すフローチャートである。
【図１１】変形例２に係る電話機１００の経過判定処理手順を示すフローチャートである。
【図１２】実施形態２に係る電話機２００の構成図である。
【図１３】電話機２００のアドレス帳情報のデータ構成と内容例を示す図である。
【図１４】電話機２００の最終通信履歴情報のデータ構成と内容例を示す図である。
【図１５】電話機２００の分類結果情報のデータ構成と内容例を示す図である。
【図１６】電話機２００の分類処理手順を示すフローチャートである。
【図１７】電話機２００の分類結果の画面イメージを示す図である。
【符号の説明】
【０１９７】
１００、２００    携帯電話機
１０１、２０１    操作部
１０２、２０２    計時部
１０３、２０３    履歴記憶部
１０４、２０４    アドレス帳記憶部
１０５    経過判定部
１０６    雛形メール記憶部
１０７、２０９    送信処理部
１０８、２１０    通信部
１０９、２０８    表示部
１１０、２１１    受信処理部
２０５    分類条件保持部
２０６    分類処理部
２０７    分類結果格納部
３００、３１０    アドレス帳情報
４００、４２０    最終通信履歴情報
４１０    通信履歴情報
５１０    分類結果情報
６００    送信中メール情報
【図１】
2008040975.tif 000003
【図２】
2008040975.tif 000004
【図３】
2008040975.tif 000005
【図４】
2008040975.tif 000006
【図５】
2008040975.tif 000007
【図６】
2008040975.tif 000008
【図７】
2008040975.tif 000009
【図８】
2008040975.tif 000010
【図９】
2008040975.tif 000011
【図１０】
2008040975.tif 000012
【図１１】
2008040975.tif 000013
【図１２】
2008040975.tif 000014
【図１３】
2008040975.tif 000015
【図１４】
2008040975.tif 000016
【図１５】
2008040975.tif 000017
【図１６】
2008040975.tif 000018
【図１７】
2008040975.tif 000019